(57)【要約】【課題】  投稿者から投稿され配信サーバに格納された動画について、システム管理者が簡単な操作で視聴者への配信中止等の各種処置を実施することができるようにする。【解決手段】  投稿者の端末装置が管理サーバをアクセスして固有の識別情報と関連付けされてアップロードされたコンテンツについて、システム管理者が事前に視聴して視聴者への配信可否に係る情報を取得する投稿動画承認手段と、配信可の承認情報を取得したコンテンツを格納する配信サーバを備えている。そして、管理サーバは、システム管理者が操作するシステム管理者用端末装置からの要求に基づいて、データベースに登録されたコンテンツの現在の配信承認情報に係る情報を表示するチャンネル別管理情報出力手段を備えている。システム管理者は表示された現在の配信承認情報に基づいて、画面と対話方式でコンテンツの配信に対す各種処置が実行できるようにしている。【選択図】図８
2008219842.tif 000002
【特許請求の範囲】
【請求項１】
管理サーバをアクセスして、コンテンツを該コンテンツの属性情報と共に予め設定された識別番号に関連付けしてストックサーバにアップロードする投稿者の端末装置と、
前記アップロードされた前記コンテンツを視聴したシステム管理者用端末装置から、視聴者への配信可否に係る判定情報を取得する投稿動画承認手段を備えた前記ストックサーバと
前記投稿動画承認手段により前記判定情報として配信可の承認情報を取得した前記コンテンツを、前記識別番号と関連付した記憶領域に格納する配信サーバと、
配信サーバに格納された前記コンテンツの視聴を行なう前記視聴者の端末装置と、
を備え、前記管理サーバは、
前記識別情報ごとに、該識別情報に関連付けされた前記コンテンツに係る前記属性情報と前記判定情報に係る情報を登録したデータベースと、
前記ストックサーバ又は前記システム管理者用端末装置からの要求に基づいて、前記データベースを参照して、少なくとも前記判定情報に係る情報を前記識別番号に対応させて出力するチャンネル管理情報出力手段を備えていることを特徴とするコンテンツの投稿配信システム。
【請求項２】
前記投稿動画承認手段は、少なくとも視聴者への配信可否に係る判定情報を取得するための投稿動画承認用Ｗｅｂページを備えていることを特徴とする請求項１に記載のコンテンツの投稿配信システム。
【請求項３】
前記投稿動画承認用Ｗｅｂページは、前記ストックサーバにアップロードされた前記コンテンツを編集するための手段を備えていることを特徴とする請求項２に記載のコンテンツの投稿配信システム。
【請求項４】
前記投稿動画承認用Ｗｅｂページは、前記ストックサーバにアップロードされた前記コンテンツに該ストックサーバに記憶されている広告に関する映像を結合するための手段を備えていることを特徴とする請求項２に記載のコンテンツの投稿配信システム。
【請求項５】
前記チャンネル管理情報出力手段は、前記識別番号に対応する前記コンテンツを視聴するための視聴手段を備えていることを特徴とする請求項１に記載のコンテンツの投稿配信システム。
【請求項６】
前記チャンネル管理情報出力手段は、前記識別番号に対応する前記コンテンツを前記視聴者の端末装置への配信停止を前記データベースに登録するための配信停止手段を備えていることを特徴とする請求項１に記載のコンテンツの投稿配信システム。
【請求項７】
前記チャンネル管理情報出力手段は、配信停止とした前記識別番号に対応する前記コンテンツを、前記視聴者の端末装置への再配信を前記データベースに登録するための再配信手段を備えていることを特徴とする請求項１に記載のコンテンツの投稿配信システム。
【請求項８】
前記管理サーバは、前記ストックサーバ又は前記システム管理者用端末装置からの要求に基づいて、
前記データベースに登録されている前記コンテンツに係る少なくとも一つの前記属性情報と、配信日とその配信時間帯とをタイムテーブルで表示するコンテンツ配信日時設定用Ｗｅｂページと、
前記コンテンツ配信日時設定用Ｗｅｂページに表示された前記コンテンツ属性情報を、前記タイムテーブルに対話方式で割り付ける操作を支援するコンテンツ配信日時設定手段を備えていることを特徴とする請求項１に記載のコンテンツの投稿配信システム。
【発明の詳細な説明】
【技術分野】
【０００１】  本発明は、インターネットを利用した動画等のコンテンツの投稿と、この投稿されたコンテンツを視聴者の端末装置に配信するサービスを行なうためのシステムに関するものである。
【背景技術】
【０００２】  インターネット技術の普及に伴なって、種々の分野において各種の情報を提供する情報配信システムが開発され、実用化されている。これらのシステムにおいて提供される情報は、文字情報、静止画像、動画であり、音声を含む情報も含まれている。【０００３】  実用化されているこの種のシステムとして、例えば、携帯電話機で撮像した音声を含む動画、又は静止画像をメールに添付して家族や友人に送信するシステム、あるいは、携帯電話機等で撮像した音声を含む動画像をＷｅｂサーバに投稿し、この投稿された動画等を、視聴者の携帯電話機等の端末装置に配信するサービスを行なう動画の投稿配信システムがある。【０００４】  インターネットを利用して、視聴者の携帯電話機に動画を配信するシステムは、既に各種の技術が提案されている。例えば、下記特許文献に記載の発明が提案されている。【０００５】
【特許文献１】  特開２００２−１９０８６７号公報
【特許文献２】  特開２００４−２２２１２４号公報
【０００６】  特許文献１には、動画コンテンツを配信するサービスサイト内に、携帯電話機に配信する動画コンテンツを格納した動画コンテンツ記憶部と、動画あるいは静止画の宣伝広告データを格納した宣伝広告データ記憶部等を設けたシステムとし、動画コンテンツの配信サービスサイトをアクセスして動画の配信要求を行った携帯電話機に、動画コンテンツと宣伝広告コンテンツを配信する動画配信サービス方法が提案されている。【０００７】  特許文献２には、携帯電話機からの動画ファイルのダウンロード要求に対して、動画配信サーバは、動画ファイルをダウンロードする携帯電話機の機種を判定して、画面サイズ、色数等の動画生成パラメータを決定する。そして、この動画生成パラメータに基づいてダウンロード用動画ファイルを生成して、配信要求を行なった携帯電話機に配信する処理を行なう動画配信サーバが提案されている。
【発明の開示】
【発明が解決しようとする課題】
【０００８】  上記特許文献１及び特許文献２に記載の発明は、動画配信サービスを行なうＷｅｂサイトに記憶されている動画を、配信要求を行なった携帯電話機に配信するシステムに関するものである。従って、各種の企業を含む投稿者が携帯電話機で撮像した動画をＷｅｂサーバにアップロードして記憶（格納）し、このＷｅｂサーバに記憶した動画を、配信要求を行なった視聴者の携帯電話機に配信するようにしたシステムではない。【０００９】  前記したように、近年の携帯電話機の性能や機能の向上に伴なって、携帯電話機で撮像した動画をインターネットを利用してＷｅｂサーバに投稿し、このＷｅｂサーバに記憶した動画を視聴者の携帯電話機に配信するシステム、すなわち、動画の投稿と配信のサービスを行なうシステムが一つのビジネスとして今後大いに開発され、実用化されるものと思われる。【００１０】  このような動画の投稿と配信のサービスシステムを実用化するときには、下記の事項が特に重要になる。
（１）投稿者は、携帯電話機等の端末装置の簡単な操作で、動画を投稿することができること。また、投稿者は繰り返して新たな動画の投稿が可能なシステムであること。
（２）投稿者から投稿されサーバ等に格納した動画について、システム管理者は必要に応じて「配信不可」や「配信停止」等、投稿された動画に対する処置を簡単な操作で行なうことができること。【００１１】  そこで、本発明の目的は、携帯電話機等の端末装置を利用した動画等の投稿配信システムにおいて、投稿者から投稿されＷｅｂサーバにアップロードされた動画等について、システム管理者が簡単な操作で検閲、編集、及び「配信不可」や「配信停止」等を実施することができるシステムを提供することにある。
【課題を解決するための手段】
【００１２】  本発明のコンテンツの投稿配信システムは、管理サーバをアクセスして、コンテンツを該コンテンツの属性情報と共に予め設定された識別番号に関連付けしてストックサーバにアップロードする投稿者の端末装置と、
前記アップロードされた前記コンテンツを視聴したシステム管理者用端末装置から、視聴者への配信可否に係る判定情報を取得する投稿動画承認手段を備えた前記ストックサーバと
前記投稿動画承認手段により前記判定情報として配信可の承認情報を取得した前記コンテンツを、前記識別番号と関連付した記憶領域に格納する配信サーバと、
配信サーバに格納された前記コンテンツの視聴を行なう前記視聴者の端末装置と、
を備え、前記管理サーバは、
前記識別情報ごとに、該識別情報に関連付けされた前記コンテンツに係る前記属性情報と前記判定情報に係る情報を登録したデータベースと、
前記ストックサーバ又は前記システム管理者用端末装置からの要求に基づいて、前記データベースを参照して、少なくとも前記判定情報に係る情報を前記識別番号に対応させて出力するチャンネル管理情報出力手段を備えていることを特徴としている。【００１３】  さらに、本発明において、前記投稿動画承認手段は、少なくとも視聴者への配信可否に係る判定情報を取得するための投稿動画承認用Ｗｅｂページを備えていることを特徴としている。【００１４】  さらに、本発明において、前記投稿動画承認用Ｗｅｂページは、前記ストックサーバにアップロードされた前記コンテンツを編集するための手段を備えていることを特徴としている。【００１５】  さらに、本発明において、前記投稿動画承認用Ｗｅｂページは、前記ストックサーバにアップロードされた前記コンテンツに該ストックサーバに記憶されている広告に関する映像を結合するための手段を備えていることを特徴としている。【００１６】  さらに、本発明において、前記チャンネル管理情報出力手段は、前記識別番号に対応する前記コンテンツを視聴するための視聴手段を備えていることを特徴としている。【００１７】  さらに、本発明において、前記チャンネル管理情報出力手段は、前記識別番号に対応する前記コンテンツを前記視聴者の端末装置への配信停止を前記データベースに登録するための配信停止手段を備えていることを特徴としている。【００１８】  さらに、本発明において、前記チャンネル管理情報出力手段は、配信停止とした前記識別番号に対応する前記コンテンツを、前記視聴者の端末装置への再配信を前記データベースに登録するための再配信手段を備えていることを特徴としている。【００１９】  さらに、本発明において、前記管理サーバは、前記ストックサーバ又は前記システム管理者用端末装置からの要求に基づいて、
前記データベースに登録されている前記コンテンツに係る少なくとも一つの前記属性情報と、配信日とその配信時間帯とをタイムテーブルで表示するコンテンツ配信日時設定用Ｗｅｂページと、
前記コンテンツ配信日時設定用Ｗｅｂページに表示された前記コンテンツ属性情報を、前記タイムテーブルに対話方式で割り付ける操作を支援するコンテンツ配信日時設定手段を備えていることを特徴としている。【００２０】  なお、上記した本発明のコンテンツの投稿配信システムにおいて、コンテンツとは、動画又は静止画像、あるいは音声を含む動画又は静止画像、あるいは音声と文字（テキスト情報）情報を含む動画又は静止画像を示す。また、これら動画又は静止画像等は、携帯電話機で撮像した画像、あるいはデジタルビデオカメラ等で撮像した画像である。【００２１】  また、上記した識別情報とは、本システムの管理運営者側が予め設定した所定の桁数からなる固有の識別情報（チャンネル番号）である。システムの管理運営者側は、ユーザー登録を行なったコンテンツの投稿者に、一つまたは複数のチャンネル番号を付与する。これにより、本システムにおいては、投稿者が投稿するコンテンツには、この投稿者に付与されたチャンネル番号との関連付けが行なわれて、サーバにアップロードされることになる。すなわち、投稿者が投稿するコンテンツは、この投稿者に付与されたチャンネル番号が設定されることになる。【００２２】  なお、システムの管理運営者側は、動画の投稿配信サービスを行なう業者（情報提供サービス業者）に対して所定数のチャンネル番号、例えば１０００種を契約により貸与し、投稿配信サービスを行なう業者は、ユーザー登録を行なった投稿者にこのチャンネル番号を貸与（付与）するシステムとしてもよい。【００２３】  上記した投稿者及び視聴者の端末装置とは、インターネット接続機能とメール送受信機能及び動画の撮像と再生機能を備えた携帯電話機、あるいはインターネット接続機能とメール送受信機能及び動画の再生機能を備えたパーソナルコンピュータを示す。
【発明の効果】
【００２４】  本発明は、投稿者の携帯電話機等から投稿されストックサーバにアップロードされたコンテンツ、あるいは配信サーバに格納された投稿動画について、本システムの管理者が端末装置に表示した投稿動画承認用Ｗｅｂページ等を操作して、コンテンツの検閲や編集操作あるいはコンテンツの配信停止等の管理業務を、正確に、かつ効率よく実施できるので、システムの信頼性を向上させることが可能になる。
【発明を実施するための最良の形態】
【００２５】  以下、本発明を実施するための最良の形態を、図面に基づいて説明する。図１は、本発明のシステムを実施するためのシステム構成の一例を示す。【００２６】［システム構成］
図１において、１ａ、１ｂ、１ｃは、ユーザー登録を行なってコンテンツを投稿する投稿者の携帯電話機やパーソナルコンピュータから構成される端末装置（以下、投稿者の端末装置という）、２は本システムの受付サイトとなるサーバ（以下、受付サイトという）、３は管理サーバ、４はメールサーバであって投稿者の端末装置１ａ等から投稿されるコンテンツ（以下、投稿動画という）を添付したメールを受信するためのメールサーバとなる。５はストックサーバ、５ａはストックサーバ５をアクセスして投稿された動画（投稿動画）について検閲等の操作を行なうシステム管理者用端末装置、６ａ、６ｂは配信サーバ、７ａ、７ｂ、７ｃは視聴者の携帯電話機あるいはバーソナルコンピュータから構成される端末装置（以下、視聴者の携帯電話機という）である。【００２７】  上記したパーソナルコンピュータから構成される投稿者の端末装置１ｃ、受付サイト２、管理サーバ３、メールサーバ４、ストックサーバ５、システム管理者用端末装置５ａ、配信サーバ６ａ、６ｂ、パーソナルコンピュータから構成される視聴者の端末装置７ｃは、インターネット８に接続されている。また、投稿者の端末装置である携帯電話機１ａ、１ｂ、及び視聴者の端末装置である携帯電話機７ａ、７ｂは、地上基地局９、携帯電話機のサービス会社のサーバ１０を介してインターネット８に接続されている。【００２８】  また、投稿者の携帯電話機１ａ、１ｂは、インターネット接続機能とカメラ機能、及びメール送受信機能を備えている必要がある。このカメラ機能としては、本システムの機能をより発揮するために、３ＧＰＰ（３ｒｄ  Ｇｅｎｅｒａｔｉｏｎ  Ｐａｒｔｎｅｒｓｈｉｐ  Ｐｒｏｊｅｃｔ）、または３ＧＰＰ２（３ｒｄ  Ｇｅｎｅｒａｔｉｏｎ  Ｐａｒｔｎｅｒｓｈｉｐ  Ｐｒｏｊｅｃｔ  ２）等により策定された仕様等を備え、音声を含む動画像の撮像と再生機能を備えていることがより望ましい。以下の説明において、投稿者の端末装置１ａ、１ｂ、１ｃを代表して説明するときは、投稿者の携帯電話機１ａと記述する。【００２９】  受付サイト２は、本コンテンツの投稿配信システムを利用して動画の投稿を希望するユーザーについて、ユーザー登録を行なってそのユーザーに係わる属性情報を取得するためユーザー登録用Ｗｅｂページ、投稿された動画について視聴者が配信要求を行なうときにアクセスするためのＷｅｂページ等を備えているサイトである。この受付サイト２は、例えば、本システムを利用して投稿者からの動画の投稿と、この投稿動画を視聴者に配信するサービスを行なう情報提供サービス業者のＷｅｂサイトである。【００３０】  上記したユーザー登録用Ｗｅｂページを利用して動画の投稿を希望するユーザーの登録処理においては、ユーザーの端末装置１ａ、１ｂ、１ｃからユーザーに係わる属性情報として少なくとも投稿者が所有している携帯電話機１ａの機体番号とメールアドレスを取得するようにする。さらに、この機体番号の他に、必要に応じて、投稿者の氏名、住所、携帯電話機の電話番号等の属性情報を取得する。これら取得したユーザーに係わる属性情報は、受付サイト２及び管理サーバ３が備えているデータベースに登録される。【００３１】  本実施の形態において、受付サイト２は視聴者の端末装置７ａのアクセスに基づいて、投稿された動画を視聴するためのＷｅｂページを公開するサイトになる。【００３２】  また、受付サイト２は、アクセスした視聴者の端末装置７ａに対して、投稿動画を視聴するための検索用Ｗｅｂページを備えようにしてもよい。この検索用Ｗｅｂページは、例えば、投稿者の氏名（企業名やニックネームも含む）、動画のタイトル名、投稿日、動画の分野（ジャンル又はカテゴリ）、配信日時等から視聴したい投稿動画が検索できるようにする。そして、検索された動画のタイトル名等をクリックすると、投稿動画が視聴者の端末装置７ａに配信されるようにリンクを取るようにする。【００３３】  管理サーバ３は、本システムにおいて必須のサーバであって、動画の投稿と配信の制御を統括して実行するために設けている。管理サーバ３は、主として下記（１）〜（５）に記載の処理を行なう。【００３４】  （１）投稿者が携帯電話機１ａから受付サイト２をアクセスしてユーザー登録を行なったときに、受付サイト２がこの投稿者の携帯電話機１ａから取得した携帯電話機１ａの機体番号に対して、固有のチャンネル番号（識別情報）を発行する処理を行なう。そして、発行したチャンネル番号を、このチャンネル番号を発行した機体番号を有している携帯電話機１ａにメールで連絡するための処理を行なう。これにより、投稿者は本システムに対してユーザー登録が完了したことを確認することができる。【００３５】  （２）管理サーバ３は、投稿者が携帯電話機１ａから動画を投稿するときにアクセスするためのサーバになる。そして、投稿者の携帯電話機１ａが管理サーバ３をアクセスして動画を投稿する操作を行なうと、管理サーバ３はこの携帯電話機１ａの機体番号を取得する処理を行なって、この機体番号が予めデータベースに登録されているか否かを確認する処理を行なう。すなわち、ユーザー登録した投稿者が自分の携帯電話機１ａを使用して動画を投稿しようとしているか否かの認証処理を行なう。【００３６】  （３）投稿者が携帯電話機１ａから投稿する動画を、メールサーバ４に送信（投稿）するための支援とその制御を行なう。この投稿支援の制御は、主として、管理サーバ３が携帯電話機１ａに表示する各種のＷｅｂページにより行なう。さらに、管理サーバ３は、携帯電話機１ａから投稿される動画は、この携帯電話機１ａの機体番号に対して発行されたチャンネル番号と関連付けされて投稿されるように制御すると共に、投稿された動画はストックサーバ５に一旦記憶して所定の処理を行なった後、配信可の承認を得た投稿動画は、配信サーバ６ａ又は６ｂの所定の記憶（格納）領域、すなわち、チャンネル番号と関連付けされたＵＲＬに記憶するための制御を行なう。【００３７】  （４）視聴者の携帯電話機７ａが受付サイト２等をアクセスして動画の視聴要求を行なったときに、受付サイト２からの要求に基づいて、配信サーバ６ａ、６ｂに記憶されている動画を視聴者の携帯電話機７ａに配信するための制御を行なう。【００３８】  （５）システム管理者用端末装置５ａがストックサーバ５をアクセスして、投稿された動画（投稿動画）について検閲等の操作、あるいは投稿動画について各種のメンテナンス操作���を行なうときに、ストックサーバ５に必要とする情報を送信する等の処理を行なう。【００３９】  管理サーバ３は、上記した処理を含む各種の処理を実行するために、各種のプログラムとデータベース及びデータテーブルを備えている。これらの詳細については後記する。【００４０】  メールサーバ４は、投稿者の携帯電話機１ａに記憶されている動画をメールに添付して投稿するときに、そのメールの送信先のサーバとなる。メールサーバ４は、携帯電話機１ａから投稿動画のファイルを添付したメールを受信すると、管理サーバ３とデータ通信を行なって所定の処理を行なうためのプログラム（メール受信処理プログラム）を備えている。なお、メールサーバ４が受信した投稿動画のファイル及びメールに記載されたテキスト情報は、管理サーバ３から受信した情報に基づいてストックサーバ５に送信される。【００４１】  ストックサーバ５はメールサーバ４から受信した投稿動画を一時的に記憶して、主に、システム管理者がこの投稿動画に対して検閲や種々の編集操作を行なうためのサーバ（編集サーバ）である。これらの操作は、システム管理者がシステム管理者用端末装置５ａを操作してストックサーバ５をアクセスし、例えば次の操作（１）〜（４）を行なう。なお、本実施形態においてこのシステム管理者は、情報提供サービス業者側の管理者になる。【００４２】  （１）システム管理者用端末装置５ａからストックサーバ５をアクセスして、ストックサーバ５に一時的に記憶されている投稿動画を事前に視聴して、公序良俗に反するような不適切な動画（有害な動画）、あるいは不鮮明な動画等が投稿されているか否かを判定し、その判定情報を入力する。そして、不適切な動画が投稿されていると判定された場合には、この投稿動画を視聴者の携帯電話機７ａに配信しない処理を行なう。すなわち、この投稿動画を削除するための指示を与える。このシステム管理者による判定情報の入力操作は、ストックサーバ４がシステム管理者用端末装置５ａに表示する操作画面（図８に示す投稿動画承認用ＷｅｂページＫ）と対話方式で行なう。【００４３】  （２）上記（１）によりシステム管理者が投稿された動画を視聴した結果、何らかの不備、例えば、再生時間（視聴時間）が長過ぎるか、不鮮明な箇所があるか、あるいは画面サイズの不備等がある場合には、システム管理者は動画編集ソフトウエアを利用して投稿動画の編集操作を行なう。この投稿動画の編集操作は、システム管理者用端末装置５ａが備えている動画編集ソフトウエアを立ち上げた後、ストックサーバ５に記憶されている投稿動画をシステム管理者用端末装置５ａにダウンロードして行なう。そして、編集操作が終了すると、編集した投稿動画をストックサーバ５にアップロードする操作を行なう。【００４４】  （３）上記（１）又は（２）の操作を行なって、投稿動画が「配信可（有害ではない）」と判定されると、この投稿動画のファイルに企業等の広告情報からなる動画あるいは静止画像を結合した広告映像付きの投稿動画ファイルを作成する操作を画面と対話方式で行なう。この操作においては、投稿された動画ファイルの先頭位置、あるいは終端位置、又は先頭位置と終端位置に広告映像を結合するための操作を画面と対���方式で行なう。これにより、投稿された動画は広告映像が結合された一つの広告映像付きの動画ファイルが作成される。この広告映像は、携帯電話機で再生して視聴するときにその視聴時間が、例えば、５〜１０秒程度になるようにする。なお、視聴者が投稿動画を視聴したときに、その広告効果を高くするためには、投稿動画の先頭位置と終端位置に広告映像を結合する操作を行なうとよい。【００４５】  本発明において、上記（３）の投稿動画に広告映像を結合する操作は、必ずしも必要ではなく、投稿動画の投稿配信システムのサービス目的、投稿者の希望等に応じて適宜採用するとよい。【００４６】  （４）システム管理者は、上記（１）、及び必要に応じて上記（２）、（３）の操作を行なって視聴者の携帯電話機７ａへの配信を「配信可」と承認した投稿動画を、配信サーバ６ａ又は６ｂに転送するための指示をストックサーバに与える操作を行なう。【００４７】  上記したシステム管理者用端末装置５ａは、ストックサーバ５をアクセスするためのパーソナルコンピュータから構成され、ＷｅｂサイトをアクセスするためのソフトウエアであるＷｅｂブラウダ、動画を再生するためのソフトウエア、動画を編集するためのソフトウエア等を備えておくようにする。なお、図１にはシステム管理者用端末装置５ａは１台のみ図示しているが、必要に応じて複数のシステム管理者がそれぞれ操作する端末装置５ａを複数台設置してもよい。【００４８】  本実施形態において、上記したように、投稿者が投稿した動画に企業等の広告情報からなる映像を結合し、この広告映像付き動画を視聴者の携帯電話機７ａに配信するようにすると、本システムの運営者側はこの広告映像付き動画を配信することに対して、広告主から対価を得ることが可能になる。これにより、本システムを利用して投稿者が動画を投稿するための料金、及び視聴者がこの投稿動画を視聴するための料金等を無料にすることが可能になるという効果が生じる。なお、前記したように、投稿動画への広告映像の結合は、必ずしも行なう必要はない。【００４９】  配信サーバ６ａ、６ｂは、ストックサーバ５により広告映像データを結合した投稿動画ファイル、あるいは、視聴者の携帯電話機７ａへの「配信可」の承認を得た投稿動画ファイルであって広告映像データを結合していないファイルを所定の記憶領域に格納（記憶）しておくためのサーバである。
そして、視聴者の携帯電話機７ａから受付サイト２等を経由して管理サーバ３に視聴（配信）要求が発生すると、管理サーバ３はこの配信サーバ６ａ、６ｂに格納されている動画を視聴者の携帯電話機７ａに配信する制御を行なう。なお、配信サーバ６ａ、６ｂに動画ファイルを記憶するための所定の記憶領域（ＵＲＬ）は、配信サーバ６ａ、６ｂが備えているプログラムにより、例えば、個々の投稿動画に関連付けされたチャンネル番号をディレクトリ情報又はファイル名として含む記憶領域（ＵＲＬ）を作成し、この作成した記憶領域に格納する。【００５０】  本システムの規模が小さい場合には、配信サーバは１台のみでよいが、システムの規模が大きくなって格納する投稿動画のファイル数が増加すると、配信サーバを複数台備えて投稿動画ファイルを分散して記憶させるようにすることが望ましい。以下の説明において、配信サーバ６ａ、６ｂを代表して説明するときは、配信サーバ６ａと記述する。【００５１】  視聴者の携帯電話機７ａ、７ｂは、受付サイト２等をアクセスして、動画の配信要求を行なうための端末装置である。携帯電話機７ａ、７ｂは、インターネット接続機能と、３ＧＰＰまたは３ＧＰＰ２形式等の動画像を再生する機能を備えている必要がある。【００５２】  上記した本発明を実施するための図１に示すシステム構成例においては、管理サーバ３とメールサーバ４はそれぞれ別のサーバとした例を示したが、管理サーバ３とメールサーバ４を１台のサーバで構成するようにしてもよい。【００５３】  また、本システムを開発して実施するときの管理運営は、例えば、次のように行なうことができる。
（１）受付サイト２は、動画の投稿と配信のサービスを行なう情報提供サービス会社が管理運営し、視聴要求用のＷｅｂページ等はこの受付サイト２でインターネット上に公開する。
（２）管理サーバ３とメールサーバ４とストックサーバ（編集サーバ）５は、この情報提供サービス会社とは別体の管理運営者（管理サーバ３の管理運営者）が所有してその管理を行なう。また、配信サーバ６ａ、６ｂもこの管理サーバ３の管理運営者が管理するようにする。
（３）システム管理者用端末装置５ａは、上記した情報提供サービス会社が所有し、情報提供サービス会社に所属するシステム管理者がストックサーバ５をアクセスして上記した投稿動画の検閲操作等を行なうようにする。【００５４】  本システムを上記（１）〜（３）に記載したような管理運営を採用すると、管理サーバ３は、それぞれの情報提供サービス会社が実施する動画の投稿配信サービスシステムを管理することが可能になる。また、管理サーバ３の管理運営側は、情報提供サービス会社の動画投稿配信システムに所定の数のチャンネル番号、例えば「０００００１」〜「００１０００」番の１０００チャンネルの使用権を契約により付与することにより、動画の投稿及び配信のサービス業務に対してその対価を得ることが可能になる。【００５５】［ソフトウエアとデータベースの構成］
続いて、本システムを稼動するために、各サーバが備えているソフトウエア（プログラム）とデータベースの概要を、図２に基づいて説明する。なお、図２にはサーバを稼動させるための基本ソフトウエア（サーバ用ＯＳ）、Ｗｅｂブラウダ、メール用ソフトウエア等については記載していない。【００５６】  受付サイト２は、投稿者登録プログラムＰ２１、機体番号取得プログラムＰ２２、動画投稿状況蓄積プログラムＰ２３、配信（視聴）要求受付プログラムＰ２４、等を備えている。また、データベースとして、投稿者データベースＤ１（以下、投稿者ＤＢ（Ｄ１）という）と、動画投稿状況蓄積データベースＤ２（以下、動画投稿状況蓄積ＤＢ（Ｄ２）という）を備えている。
上記プログラムＰ２１〜Ｐ２４は、例えば、受付サイト２を含むＷｅｂサイトが、携帯電話機を対象としてインターネット８上に公開する本システムのホームページのメニューとリンクして作動するプログラムを主体とし、Ｗｅｂページを記述するプログラムと、Ｗｅｂページを介して取得したデータについて所定の処理を行なうプログラムから構成されている。【００５７】  投稿者登録プログラムＰ２１は、本システムを利用して動画を投稿する投稿者に係る属性情報を登録するためのプログラムである。例えば、ユーザー登録用Ｗｅｂページを携帯電話機１ａの端末装置に表示することにより、投稿者としてのユーザー登録に同意したユーザーから、この投稿者に係わる属性情報を取得するためのプログラムである。投稿者に係る属性情報としては、少なくとも、投稿者が受付サイト２をアクセスした携帯電話機１ａの機体番号とメールアドレスを取得するようにし、さらに、必要に応じて、携帯電話機１ａからユーザーの氏名、住所、等の属性情報を取得するようにする。【００５８】  上記した携帯電話機の機体番号とは、個々の携帯電話機を識別するための固有の識別情報であって、携帯電話機の製造時に所定の桁数からなる数字、または英数字からなる機体番号が携帯電話機の記憶装置に記憶されるようになっている。そして、パーソナルコンピュータ等の外部装置等から携帯電話機に対してこの機体番号の送信要求を行なうと、携帯電話機は、記憶装置に記憶している機体番号をこの外部装置に送信する処理を行なうプログラムを備えている。【００５９】  本システムにおいては、携帯電話機が備えているこの機能を利用して、機体番号取得プログラムＰ２２は投稿者が所有している携帯電話機１ａの機体番号を取得し、取得した機体番号を投稿者に関する属性情報の一つとして投稿者ＤＢ（Ｄ１）、管理サーバ３のデータベースに登録する処理を行なうようにしている。また、本発明において、ＩＣチップからなるＩＣカードを搭載した携帯電話機においては、このＩＣカードに記憶されている識別番号を機体番号として登録してもよい。【００６０】  また、本システムにおいては、上記した投稿者を、広告紙面等を利用して募集するようにしてもよい。そして、本システムを利用して動画を投稿することに同意した投稿者について、その投稿者に係わる氏名、住所、メールアドレス、等の属性情報を書面で取得して投稿者ＤＢ（Ｄ１）に予め登録するようにしてもよい。さらに、書面でユーザー登録した投稿者の携帯電話機１ａのメールアドレス宛に、携帯電話機の機体番号を取得するための受付サイトのＵＲＬを送信し、ユーザー登録を完了した投稿者の携帯電話機１ａがこのＵＲＬをアクセスすると、後記する機体番号取得プログラムＰ２２により機体番号を取得するようにしてもよい。【００６１】  機体番号取得プログラムＰ２２は、受付サイト２をアクセスしてユーザー登録を行なった投稿者が所有している携帯電話機１ａから、上記した携帯電話機１ａの機体番号を取得するためのプログラムである。取得した機体番号は投稿者ＤＢ（Ｄ１）の該当する欄に登録する処理を行なうと共に、さらに、取得した機体番号を管理サーバ３に送信する処理を行なう。【００６２】  動画投稿状況蓄積プログラムＰ２３は、投稿者が動画を投稿した履歴データを、後記する動画投稿状況蓄積データベースＤ２に記憶する処理を行なうためのプログラムである。この動画投稿状況蓄積プログラムＰ２３は、投稿者が管理サーバ３をアクセスして動画の投稿を行なったときに、管理サーバ３からの制御信号と投稿者や投稿動画に係る属性情報の受信により作動して、動画投稿状況蓄積データベースＤ２の更新処理を行なうようにする。【００６３】  配信要求受付プログラムＰ２４は、視聴者の携帯電話機７ａが受付サイト２をアクセスして投稿動画の視聴要求を行なったときに作動するプログラムであって、各種の配信要求用Ｗｅｂページを備えている。この配信要求用Ｗｅｂページとして、例えば、前記した配信要求用の番組表、あるいは視聴者が配信要求を行なうために投稿動画を検索するための検索用Ｗｅｂページを備えている。そして、視聴者は、この配信要求用Ｗｅｂページを利用して、例えば、［視聴］のリンクボタン、あるいは投稿動画のタイトル名を指定すると、配信要求受付プログラムＰ２４は、配信要求用Ｗｅｂページに埋め込まれているチャンネル番号を管理サーバ３に送信する。管理サーバ３はこのチャンネル番号を受信すると配信制御プログラムＰ３５により、配信要求された動画を配信サーバ６ａから携帯電話機７ａに配信する制御を行なう。【００６４】  受付サイト２が備えている投稿者ＤＢ（Ｄ１）は、本システムを利用して携帯電話機１ａから動画を投稿する投稿者に係わる属性情報を登録したデータベースである。図３は、投稿者ＤＢ（Ｄ１）に登録されているデータ構成の一例を説明するための図である。投稿者ＤＢ（Ｄ１）は、投稿者登録プログラムＰ２１等により作成される。【００６５】  図３に示すように投稿者ＤＢ（Ｄ１）には、投稿者名（氏名又は企業名称等）ａ１、投稿者のＩＤ情報となるユーザー名ａ２、パスワードａ３、投稿者が所有している携帯電話機１ａの機体番号ａ４及びメールアドレスａ５、チャンネル番号ａ６、投稿者の住所ａ７、等に関する投稿者の属性情報が登録されている。【００６６】  動画投稿状況蓄積ＤＢ（Ｄ２）は、投稿者が携帯電話機１ａから動画を投稿したときに、管理サーバ３から受信した情報に基づいて、この投稿した実績（履歴）に係わる情報を記憶したデータベースである。動画投稿状況蓄積ＤＢ（Ｄ２）のデータ構成の一例を図４に示す。図４に示すように、動画投稿状況蓄積ＤＢ（Ｄ２）には、投稿年月日（時・分も含む）ｂ１、チャンネル番号ａ６の他に、必要に応じて、投稿者名ａ１、投稿動画のタイトル名ｂ２、ジャンル３、等に関する情報を記憶する。この動画投稿状況蓄積ＤＢ（Ｄ２）は、例えば受付サイト２を管理する情報提供サービス会社側が動画の投稿状況を日々チェックするために使用される。【００６７】  管理サーバ３は、図２に示すように、投稿支援プログラムＰ３１、機体番号取得プログラムＰ３２、機体番号認証プログラムＰ３３、チャンネル番号発行プログラムＰ３４、配信制御プログラムＰ３５、データベース作成プログラムＰ３６、チャンネル管理情報出力プログラムＰ３７、配信日時設定プログラムＰ３８、等を備えている。また、データベースとして、投稿管理データベースＤ３（以下、投稿管理��Ｂ（Ｄ３）という）、サーバ管理データベースＤ４（以下、サーバ管理ＤＢ（Ｄ４）という）、サーバ別ＵＲＬデータベースＤ５（以下、サーバ別ＵＲＬＤＢ（Ｄ５）という）、データテーブルとして配信日時テーブル（ＤＴ２）等を備えている。【００６８】  投稿支援プログラムＰ３１は、投稿者が携帯電話機１ａから管理サーバ３をアクセスして動画を投稿するときに、投稿者に対してこの動画を投稿する操作を支援するためのプログラムから構成される。これらのプログラムは、主として携帯電話機１ａの画面に表示する各種のＷｅｂページを記述するためのプログラムから構成されている。これら各種のＷｅｂページの内容については後記する。【００６９】  機体番号取得プログラムＰ３２は、投稿支援プログラムＰ３１に含まれるサブプログラムの一つであって、投稿者が携帯電話機１ａから管理サーバ３をアクセスして動画を投稿するときに、管理サーバ３をアクセスした投稿者の携帯電話機１ａの機体番号を取得する処理を行なうためのプログラムである。【００７０】  機体番号認証プログラムＰ３３は、機体番号取得プログラムＰ３２が取得した投稿者の携帯電話機１ａの機体番号が、予め投稿管理ＤＢ（Ｄ３）に登録されているか否かを判定する処理、すなわち、ユーザー登録した正当な投稿者が、前もって機体番号を登録した携帯電話機１を使用して動画を投稿しようとしているか否かを認証する処理を行なうためのプログラムである。【００７１】  チャンネル番号発行プログラムＰ３４は、受付サイト２の機体番号取得プログラムＰ２２がユーザー登録した投稿者の携帯電話機１ａの機体番号を取得したときに、この取得した機体番号に対して所定の桁数を有する固有の識別情報となるチャンネル番号（ａ６）を発行するためのプログラムである。【００７２】  チャンネル番号は、前記したように、５〜１６桁程度の数字あるいは英数字から構成される固有の識別情報であって、予め管理サーバ３を管理する運営者側が設定した識別番号である。このチャンネル番号は、例えば、６桁の場合には「０００００１」〜「９９９９９９」から構成される。【００７３】  そして、管理サーバ３の運営者側は、動画の投稿配信サービスのビジネスを実施する情報提供サービス会社側、あるいは一般の企業等に対して、例えば、「０００００１」〜「０１９９９９」までのチャンネル番号を貸与する。そして、情報配信サービス業者はユーザー登録した動画の投稿者に、このチャンネル番号の一つ又は複数個について使用権を与える。上記したチャンネル番号発行プログラムＰ３４は、このチャンネル番号の一つをユーザー登録した投稿者に割り当てる処理を行なうためのプログラムである。このチャンネル番号発行プログラムＰ３４によるチャンネル番号の発行処理は、例えば、貸与したチャンネル番号の「０００００１」〜「９９９９９９」について、先頭のチャンネル番号から順次発行する処理を行なうようにする。【００７４】  管理サーバ３の配信制御プログラムＰ３５は、受付サイト２から視聴者が視聴要求した投稿動画に対応するチャンネル番号ａ６を受信すると、受信したチャンネル番号ａ６に関連付けされた投稿動画を記憶している配信サーバ６ａ又は６ｂのＵＲＬを求めて、投稿動画の視聴要求を行なった視聴者の携帯電話機７ａに動画を配信する制御を行なう。【００７５】  データベース作成プログラムＰ３６は、投稿管理ＤＢ（Ｄ３）、サーバ管理ＤＢ（Ｄ４）、サーバ別ＵＲＬＤＢ（Ｄ５）を作成するためのプログラムであって、図２には示していないが、上記データベースごとにデータベースの作成と、その保守（追加、削除等）を行なうためのプログラムを備えている。【００７６】  チャンネル管理情報出力プログラムＰ３７は、管理サーバ３が備えているデータベースを参照してチャンネル番号ごとの現在の属性情報の状況、例えば、投稿動画について現在の配信状況に関する管理情報を出力する処理を行なうためのプログラムである。このプログラムＰ３７は、例えば、ストックサーバ５又はシステム管理者用端末装置５ａ等の要求に基づいて作動する。【００７７】  配信日時設定プログラムＰ３８は、投稿者から投稿された動画であって「配信可」の承認情報を取得した投稿動画について、情報提供サービス会社側が視聴者に配信する配信日時を決定する操作を支援するためのプログラムである。プログラムＰ３８は、ストックサーバ５又はシステム管理者用端末装置５ａ等の要求に基づいて作動する。【００７８】  管理サーバ３が備えている投稿管理ＤＢ（Ｄ３）は、主に投稿者が携帯電話機１ａから動画を投稿する要求を行なったとき、及び視聴者が投稿動画の視聴要求を行なったときにこれら要求に対する制御を実行するときに参照するデータベースである。投稿管理ＤＢ（Ｄ３）のデータ構成の一例を図５に示す。【００７９】  投稿管理ＤＢ（Ｄ３）には、チャンネル番号ａ６ごとに、システム区分ｃ１、機体番号ａ４、この機体番号ａ４を有する投稿者の携帯電話機１ａに設定されているメールアドレスａ５、このチャンネル番号ａ６が設定された投稿動画の配信が開始された配信開始日（配信開始日時）ｃ２、同じくチャンネル番号ａ６が設定された投稿動画の投稿・配信状況に関する情報ｃ３、等が記憶されている。【００８０】  投稿・配信状況ｃ３に関する情報としては、図５に示すように、チャンネル番号ａ６が設定された投稿動画が投稿された投稿回数、同じくこの投稿動画を視聴して「配信可」の承認情報を得た回数（承認回数）、同じく「配信可」の情報を得た投稿動画が現在配信中であるか否かを示す情報（「配信区分」、「配信停止」）、同じく投稿動画について視聴者の端末装置７ａから視聴要求のアクセスが発生した回数を集計して記憶する「アクセス数」、現在配信中の投稿動画のタイトル名ｂ２、等が含まれる。【００８１】  なお、投稿動画が現在配信中であるか否かは、現在配信中である場合には図５に示す「配信区分」欄に、例えば「１」を記憶し、一旦「配信可」とした投稿動画を何らかの理由で配信中止にした場合には「配信区分」欄に「０」を記憶し、「配信停止」欄に「１」を記憶するようにする。また、システム区分ｃ１欄には、情報提供サービス会社の動画等の投稿配信システムを区分する情報、例えば、システム区分コード等を登録する。【００８２】  サーバ管理ＤＢ（Ｄ４）は、図６に示すように、チャンネル番号ごとに、例えば、その所定の番号の範囲ｄ１ごとに、サーバ区分ｄ２に関するデータを登録したデータベースである��例えば、チャンネル番号が「０００００１」〜「２０００００」の範囲の各チャンネル番号には、サーバ区分として「１」を設定して登録している。【００８３】  サーバ別ＵＲＬＤＢ（Ｄ５）は、図７に示すように、サーバ区分ｄ２ごとに、投稿者の携帯電話機１ａがメールサーバ４に対してメールを送信するためのアドレス（ｅ１）、ストックサーバ５のＵＲＬ（ｅ２）、配信サーバ６ａ、６ｂのＵＲＬ（ｅ３）に関するデータを登録したデータベースである。メールサーバ４のアドレス（ｅ１）とは、投稿者の携帯電話機１ａが動画をメールに添付して送信（投稿）するときに、メールの送信先となるメールサーバ４のアドレスを示す。ストックサーバ５のＵＲＬ（ｅ２）は、メールサーバ４がストックサーバ５に投稿された動画等のデータを送信するときに、その受信窓口となるＵＲＬを示す。配信サーバ６ａ、６ｂのＵＲＬ（ｅ３）は、ストックサーバ５において、配信可の判定情報を取得した投稿動画、又はこの投稿動画に広告映像を結合した広告映像付きの動画等を配信サーバ６ａ又は６ｂに送信するときに、その受信窓口となるＵＲＬを示す。【００８４】  配信日時テーブル（ＤＴ２）は、投稿動画について視聴者に配信する日時を登録したデータテーブルである。本システムにおいて、投稿動画ごとに予め配信日時を決めて視聴者に配信する運営を行なう場合には、管理サーバ３が配信の制御を行なうためにこの配信日時テーブル（ＤＴ２）が必要になる。【００８５】  図２０に示すように、配信日時テーブル（ＤＴ２）は、年月日の日順に１日２４時間を所定の配信時間帯、例えば、３０分〜数時間の時間間隔から構成される２次元テーブルである。そして、配信日時テーブル（ＤＴ２）の各セル（枠）に、例えば、視聴者に配信する一つの投稿動画のチャンネル番号とこのチャンネル番号に対応する投稿動画のタイトル名が設定される。すなわち、配信日時テーブル（ＤＴ２）は、投稿動画を配信する番組表を表すデータテーブルである。【００８６】  上記した投稿管理ＤＢ（Ｄ３）、サーバ管理ＤＢ（Ｄ４）、サーバ別ＵＲＬＤＢ（Ｄ５）のデータ構成は、機体番号ａ４と、チャンネル番号ａ６と、メールサーバ４のアドレス（ｅ１）と、ストックサーバ５のＵＲＬ（ｅ２）と、配信サーバ６ａ及び６ｂのＵＲＬ（ｅ３）と、投稿者の携帯電話機のメールアドレスａ５とを、チャンネル番号ａ６又は機体番号ａ４をキーにして関連（対応）付けしていることに特徴がある。これにより、投稿者が投稿した動画、あるいは視聴者が視聴要求した動画に対する処理を含む管理サーバ３の各種の処理を簡素化することができ、かつ、投稿者も自分に設定されたチャンネル番号を「マイチャンネル」として認識することができるという効果が生じる。【００８７】  メールサーバ４は、図２に示すように、メール受信処理プログラムＰ４を備えている。メール受信処理プログラムＰ４は、投稿者の携帯電話機１ａから送信されたメールの受信処理と、管理サーバ３及びストックサーバ４との通信処理を行なうためのプログラムである。【００８８】  ストックサーバ５は、送受信処理プログラムＰ５１、投稿動画承認処理プログラムＰ５２、ファイル変換プログラムＰ５３、広告映像結合プログラムＰ５４、等の��ログラムを備えている。【００８９】  また、ストックサーバ５は、データテーブル及びデータベースとして、検閲待テーブルＤＴ１、広告映像データベースＤ６（以下、広告映像ＤＢ（Ｄ６）という）、広告映像インデックステーブルＤ７（以下、広告映像インデックスＤＴ（Ｄ７）という）、システム管理者データベースＤ８（以下、システム管理者ＤＢ（Ｄ８）という）を備えている。【００９０】  広告映像ＤＢ（Ｄ６）は、各種の広告映像ファイルを例えばＡＶＩ（Ａｕｄｉｏ  Ｖｉｄｅｏ  Ｉｎｔｅｒｌｅａｖｉｎｇ）形式で記憶したデータベースである。広告映像インデックスＤＴ（Ｄ７）は、広告映像ＤＢ（Ｄ６）に格納している各種の広告映像ファイルについて、予め設定された広告映像のタイトル名及び広告主名とこのタイトル名が設定された広告映像を記憶する記憶場所（ディレクトリとファイル名）を登録したテーブルである。また、システム管理者ＤＢ（Ｄ８）は、ストックサーバ５にアップロードされた投稿動画をシステム管理者用端末装置５ａで視聴して、視聴者への配信可否（配信可または配信不可）に係わる判定情報を入力する操作を行なうシステム管理者に関するＩＤ情報を登録したデータベースである。【００９１】  送受信処理プログラムＰ５１は、メールサーバ４、配信サーバ６ａ及び６ｂ、管理サーバ３等との通信処理を行なうためのプログラムである。【００９２】  投稿動画承認手段となる投稿動画承認処理プログラムＰ５２は、主として、投稿者の携帯電話機１ａからメールサーバ４を経由してストックサーバ５にアップロードされた投稿動画について、システム管理者がシステム管理者用端末装置５ａを操作して視聴による検閲（チェック）を行なって、視聴者に配信してよいか否かを示す配信可否に係る情報（判定情報）を画面と対話方式により入力させる処理等を支援するためのプログラムである。【００９３】  このシステム管理者による検閲操作は、前記したように、システム管理者がシステム管理者用端末装置５ａを操作してストックサーバ５にアップロードされた新着の投稿動画をアクセスすることにより行なわれる。
この操作において、システム管理者がシステム管理者用端末装置５ａを操作してストックサーバ５をアクセスすると、ストックサーバ５の投稿動画承認処理プログラムＰ５２は、図８に示す投稿動画承認用ＷｅｂページＫをシステム管理者用端末装置５ａに表示する処理を行なう。そして、システム管理者はこの表示画面と対話方式で検閲の操作等を行なう。この検閲に関する操作とその処理内容については、後記する。また、投稿動画承認処理プログラムＰ５２は、投稿動画承認用ＷｅｂページＫに表示された各種のリンクボタンの指定により作動するサブプログラムを備えている。【００９４】  ファイル変換プログラムＰ５３は、例えば、携帯電話機１ａで撮像した動画（３ＧＰＰ形式または３ＧＰＰ２形式のデータ）をＡＶＩ（Ａｕｄｉｏ  Ｖｉｄｅｏ  Ｉｎｔｅｒｌｅａｖｉｎｇ）形式、ＷＭＶ（Ｗｉｎｄｏｗｓ（登録商標）Ｍｅｄｉａ  Ｖｉｄｅｏ：Ｍｉｃｒｏｓｏｆｔ社）形式、ＦＬＶ（Ｆｌａｓｈ  Ｖｉｄｅｏ）形式等に変換するプログラム、ＡＶＩ形式の動画をそれぞれ３ＧＰＰ形式、あるいは３ＧＰＰ２形式に変換する処理を行なうプログラム等から構成されている。これらのファイル変換プログラムは、市販されているプログラムを使用することができる。【００９５】  なお、投稿動画のファイルをＷＭＶ形式又はＦＬＶ形式に変換する理由は、視聴者の視聴端末装置がパーソナルコンピュータの場合には、投稿された動画ファイルをＷＭＶ形式又はＦＬＶ形式に変換して配信すると投稿動画をストリーミング映像として視聴することが可能になるからである。また、投稿者がパーソナルコンピュータから構成される端末装置１ｃから動画を投稿するときは、この投稿動画のファイルはＷＭＶ形式にされているようにする。【００９６】  広告映像結合プログラムＰ５４は、投稿者から投稿された動画であって上記ファイル変換プログラムＰ５３によりＡＶＩ形式に変換した動画とＡＶＩ形式の広告映像とを、一つのＡＶＩ形式からなる広告付き映像ファイルに結合する処理を行なうプログラムである。この広告映像結合プログラムＰ５４は、市販されているプログラムを使用することができる。なお、投稿動画への広告映像の結合は、投稿動画のファイルの先頭位置と終端位置の双方、あるいは先頭位置と終端位置のいずれかに結合する処理を行なう。【００９７】［投稿動画承認用ＷｅｂページＫの構成］
続いて、上記した投稿動画承認用ＷｅｂページＫの構成について説明する。図８に示すように、投稿動画承認用ＷｅｂページＫは、表示領域Ｋａ、Ｋｂ、Ｋｃ、Ｋｄを備えた１ページから構成されたＷｅｂページである。このうち、領域Ｋａには、これから検閲する投稿動画（新着動画）に対応するチャンネル番号を表示する領域Ｋａ１と、未検閲（未承認）の件数を表示する領域Ｋａ２、次の未検閲のチャンネル番号に対応する新着動画の検閲を行うための指示領域Ｋａ３等を設けている。【００９８】  表示領域Ｋｂには、ストックサーバ５にアップロードされた投稿動画をシステム管理者が視聴して検閲するときにこの動画を表示する領域Ｋｂ１と、システム管理者が各種の処理を行なうためのリンクボタン領域Ｋｂ２〜Ｋｂ６が設けられている。また、表示領域Ｋｃには、投稿された投稿動画のタイトル名を表示する領域Ｋｃ１を設けている。【００９９】  表示領域Ｋｄには、図８に示すように、検閲ゾーンＫｄ１、編集ゾーンＫｄ２、ＣＭゾーンＫｄ３、承認ゾーンＫｄ４の４つの表示領域を設定し、それぞれのゾーン内にはシステム管理者が各種の操作を行なうためのリンクボタンＲ１〜Ｒ１８を配置している。【０１００】  検閲ゾーンＫｄ１は、システム管理者がストックサーバ５にアップロードされた投稿動画を視聴して検閲し、その判定結果に応じて各種の操作を行なう指示を入力するための領域である。システム管理者が「新着の視聴」のリンクボタンＲ１をマウスで指定すると、投稿動画承認処理プログラムＰ５２は領域Ｋａ１に表示されているチャンネル番号に対応する投稿動画を領域Ｋｂ１に表示する処理を行なう。【０１０１】  システム管理者は領域Ｋｂ１に表示された投稿動画を視聴して、視聴者の端末装置７ａに配信して良いか否かを判定する。そして、この視聴の結果、「配信可」と判定した場合には、システム管理者はその検閲の判定情報として「編集ゾーンへ」、又は「ＣＭゾーンへ」のリンクボタンＲ２、Ｒ３の何れかを指定する。なお、投稿動画に広告映像を結合しないシステムにおいては、「ＣＭゾーンへ」のリンクボタンＲ３の代わりに「承認ゾーンへ」のリンクボタン（検閲ゾーンＫｄ１には図示していない）を設けるようにする。【０１０２】  すなわち、システム管理者が「編集ゾーンへ」、又は「ＣＭゾーンへ」のリンクボタンＲ２、Ｒ３、あるいは「承認ゾーンへ」のリンクボタンの何れかを指定すると、視聴したこの投稿動画は検閲の判定情報として仮の「配信可」を取得したことを意味する。
一方、システム管理者が「配信不可」と判定した場合には、「消去」のリンクボタンＲ４を指定する。【０１０３】  システム管理者が検閲ゾーンＫｄ１において、「編集ゾーンへ」のリンクボタンＲ２を指定すると、投稿動画承認処理プログラムＰ５２は編集ゾーンＫｄ２に対応する処理を実行ための制御に移行する。一方、「ＣＭゾーンへ」のリンクボタンＲ３を指定すると、投稿動画承認処理プログラムＰ５２はＣＭゾーンＫｄ３に対応する処理を実行ための制御に移行する。また、「消去」のリンクボタンＲ４を指定すると、投稿動画承認処理プログラムＰ５２はストックサーバ５にアップロードされた投稿動画をその記憶領域から削除する処理を行なう。これにより、システム管理者が公序良俗に反すると判定した欠陥等のある投稿動画はストックサーバ５から削除されるので、視聴者の端末装置７ａに配信することを確実に防ぐことが可能になる。【０１０４】  編集ゾーンＫｄ２は、システム管理者が視聴した投稿動画について再生時間の長さ、画面サイズ、画像の鮮明さ等について何らかの不具合があったときに、この投稿動画についてシステム管理者が編集、修正操作を行なうためのリンクボタンＲ５〜Ｒ１０が設けられている。例えば、「ファイルのダウンロード」のリンクボタンＲ５を指定すると領域Ｋａ１に表示されているチャンネル番号に対応する投稿動画のファイルがストックサーバ５からシステム管理者用端末装置５ａにダウンロードされる。続いて、「編集ソフト起動」のリンクボタンＲ６を指定するとシステム管理者用端末装置５ａにインストールされている映像編集用プログラムが立ち上がり、システム管理者は、システム管理者用端末装置５ａにダウンロードした投稿動画を領域Ｋｂ１に表示しながら、編集や修正の操作を行なう。【０１０５】  そして、システム管理者はこの編集や修正の操作が完了すると、「視聴」のリンクボタンＲ８を指定して編集や修正を行なった投稿動画を領域Ｋｂ１に表示させてそのでき栄えを確認する。続いて、「ファイルのアップロード」リンクボタンＲ７を指定して編集や修正を行なった投稿動画をストックサーバ５の元の格納領域にアップロードする指示を行なう。【０１０６】  次に、システム管理者は「ＣＭゾーンへ」のリンクボタンＲ９を指定すると、投稿動画承認処理プログラムＰ５２は、ＣＭゾーンＫｄ３に対応する処理を実行ための制御に移行する。なお、投稿動画に広告映像を結合しないシステムにおいては、「ＣＭゾーンへ」のリンクボタンＲ９の代わりに「承認ゾーンへ」のリンクボタン（編集ゾーンＫｄ２には図示していない）を設けるようにする。【０１０７】  ＣＭゾーンＫｄ３は、検閲ゾーンＫｄ１により「配信可」の判定情報が得られた投稿動画、あるいは編集ゾーンＫｄ２において編集・修正操作を行なった投稿動画に、広告映像を結合する操作を行なうためのゾーンである。ＣＭゾーンＫｄ３には、リンクボタンＲ１１〜Ｒ１４が配置されている。リンクボタンＲ１１は、投稿動画の先頭位置に結合する広告映像を選択するためのリンクボタン、リンクボタンＲ１２は投稿動画の終端位置に結合する広告映像を選択するためのリンクボタンである。【０１０８】  システム管理者がリンクボタンＲ１１又はＲ１２を指定すると、投稿動画承認処理プログラムＰ５２は広告映像インデックスＤＴ（Ｄ７）を参照して、広告映像のタイトル名（又は広告主の名称）の一覧をＣＭゾーンＫｄ３の近傍等にポップアップメニュー形式で表示する処理を行なう。そして、投稿動画承認処理プログラムＰ５２は、システム管理者がマウスでその一つのタイトル名をクリックすると、広告映像インデックスＤＴ（Ｄ７）を参照して、その指定されたタイトル名に係る広告映像を記憶する記憶領域を求める。続いて、選択されたタイトル名に係る広告映像を表示領域Ｋｂ１に表示する処理を行なうようにする。これにより、システム管理者は選択した広告映像に選択間違いがないか否かを確認することができる。【０１０９】  システム管理者はこのようにリンクボタンＲ１１、Ｒ１２の操作により広告映像の選択操作を行なって「決定」のリンクボタンＲ１３をクリックすると、広告映像結合プログラムＰ５４が作動して、リンクボタンＲ１１により選択したタイトル名に対応する広告映像が投稿動画の先頭位置に、リンクボタンＲ１２により選択したタイトル名に対応する広告映像が投稿動画の終端位置に結合されることになる。【０１１０】  なお、この広告映像の結合処理においては、投稿動画承認処理プログラムＰ５２は、ファイル変換プログラムＰ５３、広告映像結合プログラムＰ５４が順次作動されて下記（１）〜（３）に記載の処理を行なう。そして、下記（１）〜（３）の処理が終了すると、投稿動画承認処理プログラムＰ５２は、承認ゾーンＫｄ４に対応する処理を実行ための制御に移行する。【０１１１】  （１）まず、ファイル変換プログラムＰ５３が作動して、メールサーバ４からストックサーバ５に送信された投稿動画のファイルをＡＶＩ形式に変換する処理を行なう。この変換処理は、投稿者の携帯電話機１ａから送信（投稿）された動画が、例えば、３ＧＰＰ形式であると、３ＧＰＰ形式のファイルをＡＶＩ形式に変換するプログラムを作動させてＡＶＩ形式に変換する処理を行なう。同じく、投稿者の携帯電話機１ａから投稿された動画が３ＧＰＰ２形式であると、３ＧＰＰ２形式のファイルをＡＶＩ形式に変換するプログラムを作動させてＡＶＩ形式に変換する処理を行なう。【０１１２】  この処理において、ストックサーバ５に送信された投稿動画が如何なるデータ形式であるかの判定は、投稿動画のファイル名に付与されている拡張子をプログラムで判定する処理を行なうことにより可能である。また、投稿者がパーソナルコンピュータから構成された端末装置１ｃからＡＶＩ形式等の動画ファイルがアップロードされた場合には、このファイル変換処理を行なわないようにする。また、端末装置１ｃからＷＭＶ形式の動画ファイルがアップロードされた場合には、ＷＭＶ形式をＡＶＩ形式に変換する処理を行なう。【０１１３】  （２）続いて、広告映像結合プログラムＰ５４が作動して、上記（１）によりＡＶＩ形式に変換した画像ファイルとＡＶＩ形式の広告映像ファイルとを、一つのＡＶＩ形式からなる映像ファイルに結合（連結）する編集処理を行なう。この処理が実行されると、例えば、投稿動画ファイルの先頭位置にはリンクボタンＲ１１で選択した広告映像ファイルが結合され、さらに、画像ファイルの終端位��にはリンクボタンＲ１２で選択した広告映像ファイルが結合されたＡＶＩ形式からなる一つの広告映像付き動画ファイルが作成されて、ストックサーバ５の記憶装置に一旦記憶される。【０１１４】  （３）続いて、再度ファイル変換プログラムＰ５３を作動させて、上記（２）により作成したＡＶＩ形式の広告映像付き動画のファイルを、３ＧＰＰ形式、３ＧＰＰ２、ＷＭＶ、ＦＬＶ等のファイル形式に変換する処理を行なって、それぞれ変換した動画ファイルをストックサーバ５の記憶装置に記憶する処理を行なう。なお、３ＧＰＰ形式と３ＧＰＰ２に変換された広告映像付き動画のファイルは、視聴者の携帯電話機７ａで視聴するためのデータ形式であって、それぞれ視聴する携帯電話機７ａの仕様に対応するために、３ＧＰＰ形式と３ＧＰＰ２形式の広告映像付き動画ファイルを作成するようにしている。また、ＷＭＶ、ＦＬＶ形式の広告映像付き動画ファイルは、パーソナルコンピュータから構成される視聴者の視聴端末装置７ｃが視聴することを考慮してファイル変換するものである。【０１１５】  上記（１）〜（３）の処理が終了すると、制御は投稿動画承認処理プログラムＰ５２は承認ゾーンＫｄ４の処理に制御を移行する。
承認ゾーンＫｄ４において、システム管理者が「視聴」のリンクボタンＲ１５をクリックして指定すると、投稿動画承認処理プログラムＰ５２は前記したＣＭゾーンの操作で実行された広告映像を結合した投稿動画（広告映像付き投稿動画）を表示領域Ｋｂ１に表示する処理を行なう。そして、システム管理者はこの広告映像付き投稿動画を視聴して何ら不具合が無ければ「承認」のリンクボタンＲ１８を指定する操作を行なう。【０１１６】  システム管理者が「承認」のリンクボタンＲ１８を指定すると、送受信処理プログラムＰ５１が作動して上記（３）により作成された３ＧＰＰ形式、３ＧＰＰ２形式等の広告映像付き投稿動画ファイルと、この投稿動画に係るチャンネル番号を、配信サーバ６ａまたは６ｂに送信する処理が実行される。この広告映像付き投稿動画ファイルを配信サーバ６ａ又は６ｂに送信するアドレスは、メールサーバ３から受信したアドレスであって前記した管理サーバ３のサーバ別ＵＲＬＤＢ（Ｄ５）に登録されている配信サーバのＵＲＬ（ｅ３）になる。【０１１７】  上記したシステム管理者の操作とこの操作に対応するプログラム処理により、投稿動画承認用ＷｅｂページＫの領域Ｋａ１に表示されているチャンネル番号に対する検閲操作等に係る処理が終了すると、投稿動画承認処理プログラムＰ５２は検閲待テーブル（ＤＴ１）を更新する処理を行なう。そして、さらに、検閲待テーブル（ＤＴ１）に未検閲の新着投稿動画に係る情報が登録されている場合には、投稿動画承認用ＷｅｂページＫの領域Ｋａ２にその件数が更新して表示し、システム管理者は「次の新着動画」のリンクボタンＫａ３をクリックして次の新着投稿動画の検閲等に関する操作を行なうことになる。【０１１８】  なお、上記投稿動画承認用ＷｅｂページＫに表示されている各種のリンクボタンには、各リンクボタンに対応する処理を実行するプログラムとリンクが張られている。従って、システム管理者がこれらリンクボタンをマウスでクリックすると、リンクボタンに対応するプログラムが実行されることになる。【０１１９】  配信サーバ６ａ、６ｂは、送受信処理プログラムＰ６１、動画格納処理プログラムＰ６２、動画削除プログラムＰ６３、動画配信プログラムＰ６４、等を備えている。また、データベースとして、視聴者に配信する投稿動画のファイルを記憶（格納）した動画データベースＤ９（以下、動画ＤＢ（Ｄ９）という）を備えている。【０１２０】  送受信処理プログラムＰ６１は、ストックサーバ５からのデータの受信処理、及び管理サーバ３等の他のサーバとの通信を行なうためのプログラムである。【０１２１】  動画格納処理プログラムＰ６２は、ストックサーバ５から受信した３ＧＰＰ形式、３ＧＰＰ２形式、ＷＭＶ形式等の広告映像付き投稿動画ファイルと、これら動画に対応するチャンネル番号を受信すると、これらファイルを一旦、配信サーバ６ａ又６ｂの外部記装置等に記憶する。続いて、これら受信した各ファイルを格納する記憶領域（ＵＲＬ）を作成する処理を行なう。動画格納処理プログラムＰ６２がこの動画ファイルを配信サーバ６ａまたは６ｂの動画ＤＢ（Ｄ９）に記憶する領域（ＵＲＬ）の作成は、例えば、下記（Ｕ１）で表されるＵＲＬを作成する処理を行なう。【０１２２】  （Ｕ１）：／スキーム名／配信サーバのドメイン名／ｍｏｖｉｅｓ／チャンネル番号．拡張子
なお、上記（Ｕ１）において、「／ｍｏｖｉｅｓ／」は最上位のホルダ（ディレクトリ）名を示し、「／チャンネル番号．拡張子」はファイル名を示す。すなわち、チャンネル番号をファイル名としたＵＲＬを作成する。【０１２３】  続いて、動画格納処理プログラムＰ６２は、外部記装置等に記憶した３ＧＰＰ形式、３ＧＰＰ２形式等の広告映像付き投稿動画ファイルを、上記記憶領域（Ｕ１）から構成されるハードディスク装置等の外部記憶装置の記憶領域に記憶する処理を行なう。これにより、投稿者が投稿した動画は、「ｍｏｖｉｅｓ」という名称を有するディレクトリ内に、それぞれチャンネル番号をファイル名として、それぞれ３ＧＰＰ形式、３ＧＰＰ２形式、ＷＭＶ形式、ＦＬＶ形式を拡張子とした記憶領域に記憶されることになる。【０１２４】  上記により広告映像付き投稿動画ファイルを（Ｕ１）に示される記憶領域に格納する処理が終了すると、動画格納処理プログラムＰ６２は、配信サーバ６ａ又は６ｂへの記憶（格納）終了を示す制御コマンドと共に上記ＵＲＬ（Ｕ１）及びチャンネル番号等に係る情報を、ストックサーバ５に送信する。ストックサーバ５の投稿動画承認処理プログラムＰ５２は、この格納終了を示す情報を受信すると、投稿動画承認用ＷｅｂページＫの表示領域Ｋｂ１等にその旨を示す情報を数秒間表示して、システム管理者に配信サーバへの格納が終了したことを報知する。【０１２５】  さらに、ストックサーバ５は、同様に、配信サーバ６ａ又は６ｂから上記した格納終了の制御コマンドと共にチャンネル番号の情報をメールサーバ４に送信する。メールサーバ４はこの格納終了の制御コマンド等に係る情報を受信すると、同様に、ストックサーバ５から受信した上記した格納終了の制御コマンドと共にチャンネル番号を管理サーバ３に送信してメール受信処理プログラムＰ４の処理を終了する。【０１２６】  管理サーバ３は、メールサーバ４から上記した格納終了の制御コマンドと共にチャンネル番号を受信すると、投稿支援プログラムＰ３１により、投稿管理ＤＢ（Ｄ３）の該当するチャンネル番号に対応する配信開始日欄ｃ２、投稿・配信状況欄ｃ３等に情報を記憶する処理を行なう。この記憶処理としては、主に次の処理（１）〜（３）を行なう。【０１２７】  （１）該当するチャンネル番号に対応する動画が初めて投稿された場合には、配信開始日欄ｃ２に格納終了の制御コマンドを受信した日時を記憶する。
（２）投稿・配信状況欄ｃ３の「承認回数」欄に記憶する承認回数をカウントする値を「＋１」する。
（３）同じく、「配信区分」欄に「１」、すなわち、視聴者に配信可能な状態になったことを示す情報を記憶する。また、同じく、投稿・配信状況欄ｃ３の「タイトル名」欄にタイトル名を記憶する。なお、このタイトル名は、メールサーバ４から受信したメールの件名をタイトル名として記憶する。【０１２８】［システムの動作］
（ユーザー登録の手順）
続いて、本発明のシステムの動作について説明する。最初に、本システムを利用して動画を投稿するユーザーが、投稿者としてのユーザー登録を行なう手順について説明する。図９は、本システムを利用して動画を投稿するためのユーザー登録を行なう手順とその処理の流れを示す図である。以下、図９に示すステップ順に説明する。【０１２９】（ステップＳ１）（ステップＳ２）
ユーザー登録を行なう投稿者は、携帯電話機１ａを操作して、本システムに関する各種のサービスを行なう受付サイト２のホームページをアクセスする。続いて、このホームページからユーザー登録用Ｗｅｂページをアクセスする操作を行なう。この操作により、受付サイト２の投稿者登録プログラムＰ２１は、携帯電話機１ａに図１０に示すようなユーザー登録用ＷｅｂページＧ１を表示して、投稿者に係わる属性情報を取得して本システムに登録する処理を行なう。【０１３０】（ステップＳ３）
ユーザー登録を行なう投稿者は、携帯電話機１ａの画面に表示されたユーザー登録用ＷｅｂページＧ１に、投稿者の属性情報を入力して［送信］ボタンｇ１ｅをクリックする。この属性情報としては、例えば、投稿者の氏名ｇ１ａ、携帯電話機１ａのメールアドレスｇ１ｂと電話番号ｇ１ｃ、住所ｇ１ｄ、等が含まれるようにする。【０１３１】（ステップＳ４）
受付サイト２の投稿者登録プログラムＰ２１は、ステップＳ３により投稿者に係わる属性情報を取得すると、これら取得した情報を一旦、記憶装置に記憶する処理を行なう。【０１３２】（ステップＳ５）
受付サイト２の投稿者登録プログラムＰ２１は、ユーザー登録を行なう投稿者の携帯電話機１ａに、図１１に示すような機体番号登録用ＷｅｂページＧ２を表示する処理を行なう。【０１３３】  機体番号登録用ＷｅｂページＧ２は、ユーザー登録を行なおうとしている投稿者から、この投稿者が所有している携帯電話機１ａの機体番号を取得して本システムに登録することに対して同意を得る機能と、ユーザーが「同意」ボタンｇ２ａをクリックして同意するとこの携帯電話機１ａの機体番号を取得するための機能を備えている。なお、携帯電話機１ａの機体番号を取得する処理を行なうプログラムは、機体番号登録用ＷｅｂページＧ２を記述するプログラム内に組み込まれている。そして、投稿者が「同意」ボタンｇ２ａをクリックすると機体番号取得プログラムＰ２２が作動して、携帯電話機１ａの記憶装置に記憶されている機体番号を読み取って受付サイト２に送信する処理を行なう。【０１３４】（ステップＳ６）（ステップＳ７）
ユーザー登録を行なおうとしている投稿者が機体番号登録用ＷｅｂページＧ２に表示されている「同意」ボタンｇ２ａをクリックして同意すると、前記したように受付サイト２は携帯電話機１ａの機体番号を取得し、取得した機体番号を一旦、記憶装置に記憶する処理を行なう。【０１３５】（ステップＳ８）
受付サイト２の投稿者登録プログラムＰ２１は、ステップＳ７により取得した機体番号に対するチャンネル番号の発行依頼を行なうために、取得した機体番号と、投稿者のメールアドレスと、受付サイト２が本システムの動画投稿配信のサービスシステムのシステム区分コード（図５に示す投稿管理ＤＢ（Ｄ３）のシステム区分ｃ１）を管理サーバ３に送信する。【０１３６】（ステップＳ９）
管理サーバ３は、受付サイト２から機体番号等を受信すると次の処理を行なう。
（１）チャンネル番号発行プログラムＰ３４を作動させて、受信した機体番号に対するチャンネル番号を発行（設定）する処理を行ない、この発行したチャンネル番号を一旦、記憶装置に記憶する処理を行なう。このチャンネル番号発行プログラムＰ３４によるチャンネル番号の発行処理は、例えば、投稿管理ＤＢ（Ｄ３）を先頭のデータから検索し、受信したシステム区分コードが同一であって「機体番号」欄ａ４に機体番号が登録されていない一つのチャンネル番号を選択し、このチャンネル番号を発行する処理を行なう。【０１３７】  （２）続いて、データベース作成プログラムＰ３６を作動させて、受付サイト２から受信した機体番号及び投稿者のメールアドレスと、この機体番号に対して上記により発行したチャンネル番号とを関連付けして、投稿管理ＤＢ（Ｄ３）に登録する処理を行なう。さらに、投稿管理ＤＢ（Ｄ３）の「投稿回数」欄Ｃ２に初期値となる「０」を記憶する処理を行なう。また、図５には示していないが、これらのデータを投稿管理ＤＢ（Ｄ３）に登録した登録日を登録する。【０１３８】（ステップＳ１０）
管理サーバ３のチャンネル番号発行プログラムＰ３４は、発行したチャンネル番号を受付サイト２に送信する処理を行なう。【０１３９】（ステップＳ１１）
Ｗｅｂサイト２は、管理サーバ３から管理サーバ３が発行したチャンネル番号を受信すると、投稿者登録プログラムＰ２１により次の処理を行なう。
（１）上記ステップＳ３〜Ｓ４で取得した投稿者の属性情報と、ステップＳ６〜Ｓ７で取得した機体番号と、この機体番号に対して管理サーバ３が発行したチャンネル番号とを関連付けして投稿者ＤＢ（Ｄ１）に登録する処理を行なう。【０１４０】  （２）管理サーバ３から送信されたチャンネル番号を、ユーザー登録を行なうために受付サイト２をアクセスしているユーザーの携帯電話機１ａに送信する処理を行なう。【０１４１】  （３）ユーザー登録を行なった投稿者が携帯電話機１ａから動画を投稿するためにアクセスするためのＵＲＬ（以下、動画投稿用ＵＲＬという）を、ユーザー登録を行なった投稿者の携帯電話機１ａに送信する処理を行なう。この動画投稿用ＵＲＬは管理サーバ３に設定された動画投稿用のＵＲＬになる。【０１４２】  ステップＳ１１において、上記（２）、（３）の処理は、受付サイト２をアクセスしている携帯電話機１ａに、例えば、図１２に示すようなＷｅｂページ（機体番号登録完了通知Ｗｅｂページ）Ｇ３を表示して、ユーザー登録の操作が完了したことを投稿者に通知するようにする。【０１４３】  機体番号登録完了通知ＷｅｂページＧ３には、表示領域ｇ３ａにユーザー登録を行なった投稿者の携帯電話機１ａの機体番号に対して発行したチャンネル番号を表示する。また、表示領域ｇ３ｂには、動画投稿者が携帯電話機１ａから動画を投稿するためにアクセスする動画投稿用ＵＲＬを表示する。この動画投稿用ＵＲＬは、上記したように管理サーバ３に設定されたＵＲＬである。そして、投稿者が携帯電話機１ａを操作してこの動画投稿用ＵＲＬをアクセスすると、管理サーバ３の投稿支援プログラムＰ３１が作動する。【０１４４】  図１２に示す機体番号登録完了通知ＷｅｂページＧ３には、さらに、「動画投稿」ボタンｇ３ｃを表示している。そして、ユーザー登録の操作が終了した投稿者が「動画投稿」ボタンｇ３ｃをクリックすると、携帯電話機１ａは管理サーバ３の動画投稿用ＵＲＬをアクセスするようにリンクが張られている。これにより、ユーザー登録の操作が完了した投稿者は、携帯電話機１ａに記憶している動画を直ちに投稿することが可能になる。【０１４５】（ステップＳ１２）
ユーザー登録の操作が完了した投稿者は、携帯電話機１ａに表示された機体番号登録完了通知ＷｅｂページＧ３を閲覧して、本システムを利用して動画を投稿することができる投稿者としてのユーザー登録が完了したことを確認することができる。また、機体番号登録完了通知ＷｅｂページＧ３の表示領域ｇ３ｂには、動画投稿用ＵＲＬが表示されているので、このＵＲＬを携帯電話機１ａにブックマークとして登録しておくようにする。これにより、投稿者は、携帯電話機１ａで撮像して記憶している投稿動画を簡単な操作で、何時でも投稿することが可能になる。【０１４６】  なお、上記したステップＳ３〜Ｓ４における投稿者の属性情報を取得する処理は、前記したように、書面等を利用して入取する手段を採用してよいが、少なくとも、投稿者の携帯電話機の機体番号は受付サイト２をアクセスした携帯電話機から直接取得するようにする。【０１４７】（動画を投稿する手順）
続いて、本システムの利用についてユーザー登録を行なった投稿者が、携帯電話機１ａで撮像した動画を投稿する手順と、この投稿された動画を配信サーバ６ａ又は６ｂに記憶（格納）するまでの手順とその処理内容を、図１３に基づいて説明する。【０１４８】  図１３は、投稿者が携帯電話機１ａを利用して撮像した動画をメールサーバ４に送信し、この動画を受信したメールサーバ４が管理サーバ３の指示に基づいてストックサーバ５に送信し、さらに、ストックサーバ５はこの投稿動画に対して検閲や広告映像の結合処理等の所定の処理を行なった後、この投稿動画を配信サーバ６ａ又は６ｂに送信するまでの処理の流れを示している。以下、図１３に示すステップ順に説明する。【０１４９】（ステップＳ２０）
投稿する動画を携帯電話機１ａで撮影し、この動画を携帯電話機１ａの記憶装置に記憶した投稿者は、この携帯電話機１ａを操作して管理サーバ３の動画投稿用ＵＲＬをアクセスする。本システムにおいて、投稿者がこの動画投稿用ＵＲＬをアクセスする手順は、下記（１）又は（２）に記載の方法により行なうことができる。【０１５０】  （１）前記した図１２に示す機体番号登録完了通知ＷｅｂページＧ３の「動画投稿」ボタンｇ３ｃをクリックして動画投稿用ＵＲＬをアクセスする。
（２）同じく、前記した図１２に示す機体番号登録完了通知ＷｅｂページＧ３の表示領域ｇ３ｂに表示した動画投稿用ＵＲＬを、予め携帯電話機１ａにブックマークとして登録しておき、このブックマークとして登録した動画投稿用ＵＲＬをアクセスする。【０１５１】  上記（１）のアクセス方法は、ユーザー登録の操作が完了した時点で、直ちに機体番号登録完了通知ＷｅｂページＧ３を利用して動画を投稿するときに利用できる方法である。上記（２）のアクセス方法は、例えば、ユーザー登録が完了して日数が経過した後、あるいは投稿者が新規な投稿動画を繰り返して投稿するときに利用する方法である。【０１５２】（ステップＳ２１）
携帯電話機１ａが投稿用ＵＲＬをアクセスすると、管理サーバ３の投稿支援プログラムＰ３１は、図１５に示す動画投稿ＷｅｂページＧ４を携帯電話機１ａに表示する処理を行なう。なお、動画投稿ＷｅｂページＧ４を記述するプログラム言語内には、管理サーバ３をアクセスしている携帯電話機１ａの機体番号を取得する処理を行なう機体番号取得プログラムＰ３２が組み込まれている。【０１５３】（ステップＳ２２）（ステップＳ２３）
投稿者が動画投稿ＷｅｂページＧ４に表示されている「動画投稿」ボタンｇ４ａをクリックすると、動画投稿ＷｅｂページＧ４に組み込まれている機体番号取得プログラムは、管理サーバ３をアクセスしている携帯電話機１ａの機体番号を取得する処理を実行し、この取得した機体番号を管理サーバ３に送信する処理を行なう。【０１５４】（ステップＳ２４）
管理サーバ３は、上記ステップＳ２３により携帯電話機１ａの機体番号を取得すると、機体番号認証プログラムＰ３３を作動させて、取得した機体番号が投稿管理ＤＢ（Ｄ３）に登録されているか、すなわち、投稿者がユーザー登録を行なったときに取得して投稿管理ＤＢ（Ｄ３）に登録した機体番号ａ４を有する携帯電話機１ａを使用して動画を投稿しようとしているか否かを判定する。この判定処理の結果、投稿者が予め登録された機体番号を有する携帯電話機１ａで動画を投稿しようとしていると判定されると、この機体番号ａ４に対応して投稿管理ＤＢ（Ｄ３）に登録されているチャンネル番号ａ６を求め記憶装置に記憶する処理を行なって、ステップＳ２５に進む。
一方、機体番号認証プログラムＰ３３は、予め投稿管理ＤＢ（Ｄ３）に登録されていない機体番号を有する携帯電話機１ａで動画を投稿しようとしていると判定すると、動画投稿ＷｅｂページＧ４に「機体番号が未登録です」と表示して、管理サーバ３は投稿者の動画投稿に対する処理を終了させる。【０１５５】（ステップＳ２５）
管理サーバ３の投稿支援プログラムＰ３１は、図１６に示すＷｅｂページＧ５を携帯電話機１ａに表示する処理を行なう。図１６に示す動画投稿先連絡用ＷｅｂページＧ５は、投稿者に対して、携帯電話機１ａから動画を投稿するためにこの動画をメールに添付して送信するメールサーバ４のアドレスを通知するためのＷｅｂページである。このメール送信先のアドレスは、上記ステップＳ２４の処理で記憶したチャンネル番号、すなわち、投稿者の携帯電話機１ａの機体番号に対応するチャンネル番号と関連付けができるようにする。【０１５６】  投稿支援プログラムＰ３１により、メール送信先のアドレスがチャンネル番号と関連付けされたアドレスを作成するための処理は、例えば、メールサーバの投稿用アドレスのアカウント部に、チャンネル番号と関連付けした情報を付与する処理を行なう。具体的には次の手段の何れかを採用する。
（１）アカウント部（ユーザー名）を、チャンネル番号を含む内容から構成する。
（２）アカウント部を、乱数発生手段により発生した所定の桁数の整数値を有する文字列から構成する。そして、チャンネル番号に関連付けしてこの文字列を記憶装置記憶しておく。なお、メールサーバの投稿用アドレスのドメイン部はサーバ別ＵＲＬＤＢ（Ｄ５）に登録されているメールサーバ４のアドレス（ｅ１）のドメイン部になる。【０１５７】  なお、動画投稿先連絡用ＷｅｂページＧ５の表示領域ｇ５ｂに投稿者が動画を投稿する時間的な期限を表示するとよい。この時間期限は、例えば、携帯電話機１ａに動画投稿先連絡用ＷｅｂページＧ５の表示を行なった後、２０分以内にメールサーバ４から管理サーバ３に対して、投稿動画の受信に係わる情報の送信がない場合には、投稿支援プログラムＰ３１がこの動画の投稿要求は無効とする処理を行なうための時間値となる。【０１５８】  このように、携帯電話機１ａから投稿動画を添付したメールをメールサーバ４に送信するためのアドレスのアカウント部にチャンネル番号と関連付けした情報を付与すると、投稿動画をチャンネル番号と関連付けしてメールサーバに送信することができる。【０１５９】（ステップＳ２６）
投稿者は、図１６に示す動画投稿先連絡用ＷｅｂページＧ５の表示領域ｇ５ａをクリックして、携帯電話機１ａに記憶されている動画をメールサーバ４に送信するための操作を行なう。この操作を行なうと、動画投稿先連絡用ＷｅｂページＧ５を記述しているプログラムにより、携帯電話機１ａのメール送信プログラムが作動して、例えば、図１７に示すようなメールを作成するための画面Ｇ６が携帯電話機１ａに表示される。【０１６０】  図１７に示すメール作成画面Ｇ６に表示される内容は、携帯電話機の機種により若干異なるが基本的にはメールの送信先のアドレスを入力する欄ｇ６ａ、メールの件名を入力する欄ｇ６ｂ、メールに添付して送信するファイル名を入力する欄ｇ６ｃ、メッセージを入力する欄ｇ６ｄが表示される。そして、投稿者は、件名入力欄ｇ６ｂ、ファイル名入力する欄ｇ６ｃ、及びメッセージ入力欄ｇ６ｄの「ジャンル」、「メッセージ」欄に必要事項を入力してメールを送信する。なお、メール送信先のアドレス欄ｇ６ａには、上記プログラム処理により作成したメールサーバ４のアドレスが表示される処理を行なう。【０１６１】（ステップＳ２７）
メールサーバ４は携帯電話機１ａからメールを受信すると、メール受信処理プログラムＰ４により、受信したメールのヘッダを解析して、受信アドレス、メールアカウント、送信者のアドレス、メールの件名、メッセージ内容、添付ファイル（投稿動画）を一旦記憶装置に記憶する処理を行なう。【０１６２】（ステップＳ２８）
メール受信処理プログラムＰ４は、上記ステップＳ２７で取得したメールの件名、受信アドレス又はこのメールのアカウント部に関する情報を管理サーバ３に送信して、この受信アドレス又はアカウント部に対応付けされたチャンネル番号に係る情報の送信要求を行なう。このチャンネル番号に係る情報の送信要求は、少なくともチャンネル番号、ストックサーバのＵＲＬ（ｅ２）、配信サーバのＵＲＬ（ｅ３）に関する情報を含む。このとき、メールサーバ４は、メッセージ内容のテキスト情報も管理サーバ３に送信してもよい。【０１６３】（ステップＳ２９）
管理サーバ３の投稿支援プログラムＰ３１は、メールサーバ４からチャンネル番号に係る情報の送信要求を受信すると次の処理を行なう。【０１６４】  （１）受信した受信アドレス又はメールのアカウント部について、受信アドレス（メールサーバ４のアドレス）のアカウント部に含まれているチャンネル番号、又は上記ステップＳ２５でアカウント部に対応させて記憶装置に記憶しておいたチャンネル番号を求める。そして、このチャンネル番号についてサーバ管理ＤＢ（Ｄ４）を参照して、このチャンネル番号に対応するサーバ区分ｄ２を求める処理を行なう。【０１６５】  （２）続いて、上記（１）の処理で求めたサーバ区分ｄ２の値に対応して、サーバ別ＵＲＬＤＢ（Ｄ５）に登録されているストックサーバ５のＵＲＬ（ｅ２）と、配信サーバ６ａ又は６ｂのＵＲＬ（ｅ３）を求め、これらのＵＲＬ情報を、投稿された動画に対応するチャンネル番号に関する情報として、このチャンネル番号と共にメールサーバ４に送信する処理を行なう。このとき、受信した受信アドレス又はメールのアカウント部も送信するようにする。
（３）上記（１）の処理で求めたチャンネル番号について、投稿管理ＤＢ（Ｄ３）の投稿・配信状況欄ｃ３の「投稿回数」を記憶する領域を「＋１」する処理を行なう。
（４）メールサーバ４から受信したメールの件名を、投稿管理ＤＢ（Ｄ３）の投稿・配信状況欄ｃ３の「タイトル名」欄ｂ２に記憶する。【０１６６】（ステップＳ３０）
メールサーバ４のメール受信処理プログラムＰ４は、管理サーバ３からチャンネル番号、ストックサーバのＵＲＬ（ｅ２）、及び配信サーバのＵＲＬ（ｅ３）を受信すると、この受信したストックサーバのＵＲＬ（ｅ２）に、携帯電話機１ａから送信された投稿動画と、管理サーバ３から受信したチャンネル番号及び配信サーバのＵＲＬ（ｅ３）を送信する処理を行なう。【０１６７】（ステップＳ３１）
ストックサーバ５の送受信処理プログラムＰ５１は、メールサーバ４から投稿動画、チャンネル番号、配信サーバのＵＲＬ（ｅ３）、等の情報を受信すると、次の処理（１）〜（５）を行なう。【０１６８】  （１）メールサーバ４から受信した投稿動画を、この動画に対応するチャンネル番号と関連付けしたストックサーバ５の外部記憶装置の記憶領域に、一時記憶する処理を行なう。
（２）メールサーバ４から受信した投稿動画に対応するチャンネル番号と配信サーバのＵＲＬ（ｅ３）とを関連付けして、これらの情報を検閲待テーブル（ＤＴ１）に記憶する処理を行なう。この配信承認待テーブル（ＤＴ１）のデータ構成の一例を図１８に示す。【０１６９】  この検閲待データテーブル（ＤＴ１）は、ストックサーバ５にアップロードされた投稿動画について視聴者の携帯電話機７ａ、７ｂへの配信可否の判定情報が与えられていない検閲待ちの動画（新着動画）に関する情報を記憶するためのデータテーブルである。図１８に示すように、検閲待データテーブル（ＤＴ１）には、チャンネル番号ａ６ごとに、配信サーバのＵＲＬ（ｅ３）とストックサーバ５にアップロードされた日時（投稿日）ｆ１、等に関する情報が記憶される。なお、検閲待データテーブル（ＤＴ１）には、投稿日時ｆ１が最も古いデータを検閲待データテーブル（ＤＴ１）の先頭に記憶する処理を行なうようにする。【０１７０】（ステップＳ３２）
システム管理者は、システム管理者用端末装置５ａを操作してストックサーバ５をアクセスし、ステップＳ３１によりストックサーバ５にアップロードされた投稿動画を、前もって視聴者の端末装置７ａに配信して良いか否かの検閲や編集の操作を行なう。そして、この検閲操作により視聴者に配信可と判定した投稿動画について、システムの仕様に応じて広告映像の結合に対する操作を行なう。ストックサーバ５の投稿動画承認処理プログラムＰ５２は、この検閲や編集の操作等の支援を行うためにシステム管理者用端末装置５ａに図８に示す投稿動画承認用ＷｅｂページＫを表示する。投稿動画承認用ＷｅｂページＫの構成とその操作方法は前記した通りである。【０１７１】  「配信可」と判定した投稿動画、あるいは「配信可」と判定した投稿動画にＣＭ映像を結合し、さらに、ＷＭＶ（又はＦＬＶ）、３ＧＰＰ、３ＧＰＰ２形式等に変換した投稿動画ファイルについて、
投稿動画承認処理プログラムＰ５２は、システム管理者が投稿動画承認用ＷｅｂページＫの承認ゾーンＫｄ４の「承認」ボタンＲ１８をクリックした情報を取得すると、この投稿動画は正式に視聴者への配信が承認されたと判定する。続いて、送受信処理プログラムＰ５１は、この承認された投稿動画のファイルとこのファイルに対応するチャンネル番号を配信サーバ６ａ又は６ｂに送信する処理を行なう。【０１７２】（ステップＳ３３）
配信サーバ６ａはステップＳ３２の処理により、投稿動画のファイル、あるいはＣＭ映像を結合したＷＭＶ（又はＦＬＶ）、３ＧＰＰ、３ＧＰＰ２形式等に変換した投稿動画ファイルとチャンネル番号を受信すると、送受信プログラムＰ６１、動画格納処理プログラムＰ６２を作動させて次の処理を行なう。【０１７３】  （１）これら受信したＷＭＶ（又はＦＬＶ）、３ＧＰＰ、３ＧＰＰ２形式の各ファイルをチャンネル番号と関連付けして一旦、外部記憶装置に記憶する。
（２）続いて、動画格納処理プログラムＰ６２は、この投稿動画ファイルを記憶する記憶領域を決定し、この記憶領域にこれら投稿動画ファイルを格納する処理を行なう。この記憶領域は、前記したように投稿動画ファイルに対応するチャンネル番号に関連付けされた外部記憶装置に設定した動画ＤＢ（Ｄ９）の記憶領域（Ｕ１）になる。【０１７４】  （３）続いて、動画格納処理プログラムＰ６２は、投稿動画ファイルの格納完了の情報をストックサーバ５に送信する。このとき、投稿動画ファイルに対応するチャンネル番号と、ＷＭＶ（又はＦＬＶ）、３ＧＰＰ、３ＧＰＰ２形式の各投稿動画ファイルのファイルサイズもストックサーバ５に送信する処理を行なう。【０１７５】（ステップＳ３４）
ストックサーバ５は、配信サーバ６ａから上記した投稿動画ファイルの格納完了の情報を受信すると、投稿動画ファイルの格納完了の情報と共に、受信したチャンネル番号、ＷＭＶ（又はＦＬＶ）、３ＧＰＰ、３ＧＰＰ２形式の各投稿動画ファイルのファイルサイズに関する情報をメールサーバ４に送信して、投稿動画承認処理プログラムＰ５２の投稿動画に関する検閲処理等を終了させる。【０１７６】（ステップＳ３５）
メールサーバ４は、ストックサーバ５から上記格納完了の情報を受信すると、さらにこの格納完了の情報と共に、受信したチャンネル番号、各投稿動画ファイルのファイルサイズに関する情報を管理サーバ３に送信して、メール受信処理プログラムＰ４の処理を終了する。【０１７７】（ステップＳ３６）
管理サーバ３は、メールサーバ４から上記格納完了の情報を受信すると、投稿支援プログラムＰ３１は受信したチャンネル番号について投稿管理ＤＢ（Ｄ３）の更新処理を行なう。この投稿管理ＤＢ（Ｄ３）の更新処理としては、例えば、配信開始日欄ｃ２に未だ何ら情報が記憶されていない場合には、この格納完了の情報を受信した日時を記憶する。さらに、投稿・配信状況欄ｃ３の「承認回数」を「＋１」する処理と、同じく「配信区分」に「１」を記憶する処理等を行なう。【０１７８】  また、図１３には示していないが、管理サーバ３は、ステップＳ３６の処理で配信サーバ６ｂ又は６ｂに格納した投稿動画に関する属性情報であるチャンネル番号、投稿年月日（上記した格納完了の情報を受信した日時）、ステップＳ２９の処理で記憶装置に記憶しておいたメッセージ内容に係るテキスト情報を受付サイト２に送信する処理を行なう。受付サイト２はこれらの情報を受信すると、受信した情報を動画投稿状況蓄積ＤＢ（Ｄ２）に書き込んで更新する処理を行なう。【０１７９】（動画の配信要求）
続いて、本発明のシステムを利用して視聴者が視聴端末装置７ａを操作して、動画の配信（視聴）要求を行なう方法について説明する。この動画の視聴要求方法は、主として次の３つの方法を採用することができる。【０１８０】［視聴要求方法１］
受付サイト２等のサーバを利用して、配信要求を行なうための配信要求用Ｗｅｂページをインターネット上に公開する。この配信要求用Ｗｅｂページには、動画投稿状況蓄積ＤＢ（Ｄ２）を参照して、例えば、ジャンルｂ３ごとに動画タイトル名ｂ２の一覧を表示する。そして、視聴者が携帯電話機７ａを操作して配信要求用Ｗｅｂページをアクセスし、視聴希望の動画タイトル名ｂ２をクリックして指定すると、指定した動画タイトル名ｂ２に埋め込まれているチャンネル番号が管理サーバ３に送信されるようにする。
管理サーバ３はこのチャンネル番号を受信すると、配信制御プログラムＰ３５により投稿管理ＤＢ（Ｄ３）等のデータベースを参照して視聴要求されたチャンネル番号に対応する投稿動画を記憶している配信サーバ６ａ又は６ｂのＵＲＬを求めことができる。これにより、管理サーバ３は視聴要求を行なった投稿動画を視聴者の携帯電話機７ａに配信する制御を行ない、携帯電話機７ａの画面にはこの投稿動画が表示される。【０１８１】［視聴要求方法２］
管理サーバ３は、配信サーバ６ａ又は６ｂに格納した投稿動画ごとに、予め配信日時を設定した配信日時テーブルＤＴ２を作成して記憶しておく。そして、視聴者の携帯電話機７ａから受付サイト２等を介して視聴要求を受信すると、管理サーバ３は番組表を参照し、この視聴要求を受信した日時に対応して番組表に設定されている投稿動画を配信する制御を行なう。この番組表は、例えば、月単位に作成し、さらにその日時を数区分に分けたタイムテーブルを作成する。そして、このタイムテーブルを構成する一つの時間帯に一つの投稿番組を割り付けるようにする。この番組表の設定については後記する。【０１８２】［視聴要求方法３］
視聴者は携帯電話機７ａから管理サーバ３をアクセスし、視聴希望に対応する投稿動画に対応するチャンネル番号を管理サーバ３に送信することにより視聴要求ができるようにする。この視聴要求方法３は、例えば、投稿者が遠方にいる家族や友人等に携帯電話機７ａで撮像した動画を送信する等、個人同士間の動画の投稿とその視聴システムとして利用することができる。この場合、投稿動画のセキュリティを確保するために、視聴者が携帯電話機７ａから管理サーバ３をアクセスして視聴要求を行なうときに、視聴者のパスワードの入力による認証処理、あるいは携帯電話機の機体番号による認証処理等を行なうようにする。【０１８３】  管理サーバ３は、上記した［視聴要求方法１］〜［視聴要求方法３］の何れの方法でも視聴要求の投稿動画に対応したチャンネル番号を受信する。これにより、配信制御プログラムＰ３５は、次の手順で視聴要求を行なった携帯電話機７ａに投稿動画を配信する制御を行なうことができる。【０１８４】  （１）管理サーバ３の配信制御プログラムＰ３５は、受付サイト２（又は携帯電話機７ａ）からチャンネル番号を受信すると投稿管理ＤＢ（Ｄ３）を参照して、受信したチャンネル番号に対応する投稿動画が現在配信中であるか否かを判定する。この判定は、投稿管理ＤＢ（Ｄ３）の投稿・配信状況欄ｃ３に登録されている「配信区分」の記憶内容を判定することにより可能である。【０１８５】  （２）上記（１）の処理で配信中であると判定されると、サーバ管理ＤＢ（Ｄ４）を参照してこの受信したチャンネル番号に対応するサーバ区分ｄ２の値を求める。続いて、サーバ別ＵＲＬＤＢ（Ｄ５）を参照して、求めたサーバ区分ｄ２に対応して登録されている配信サーバのＵＲＬ（ｅ３）を求める処理を行なう。【０１８６】  （３）管理サーバ３の配信制御プログラムＰ３５は、上記（２）の処理で求めた配信サーバのＵＲＬ（ｅ３）と受信したチャンネル番号から、視聴要求された投稿動画を格納している配信サーバ６ａまたは６ｂのＵＲＬ（Ｕ１）を作成し、このＵＲＬ（Ｕ１）を受付サイト２（又は携帯電話機７ａ）に送信する。受付サイト２この受信したＵＲＬ（Ｕ１）を携帯電話機７ａに送信する処理を行なう。【０１８７】  上記（１）〜（３）により、視聴者の携帯電話機７ａは、視聴要求した動画を記憶する配信サーバ６ａまたは６ｂのＵＲＬを受信すると、携帯電話機７ａのＷｅｂブラウザがこのＵＲＬをアクセスしてこの動画ファイルをダウンロードし、続いて、携帯電話機７ａの画面にダウンロードした投稿動画のファイルを、例えば、図１９に示す画面Ｇ７の表示領域ｇ７ａに再生して表示する処理を行なう。これにより、視聴者は視聴要求した投稿動画を視聴することができる。また、この投稿動画に広告映像が結合されている場合には、この動画の最初と終りの各数秒間は広告映像が表示されるので、広告主は広告効果を得ることが可能になる。【０１８８】  なお、上記した視聴要求に対する処理において、受付サイト２は視聴者の携帯電話機７ａから視聴要求を受信すると、このアクセス情報からこの携帯電話機７の電話サービス会社を特定することができる。従って、受付サイト２は、この電話サービス会社に係わる情報と、上記（３）により管理サーバ３から受信した配信サーバのＵＲＬ（Ｕ１）に基づいて、配信要求を行なった携帯電話機７ａに適合する動画ファイルの形式（３ＧＰＰ又は３ＧＰＰ２等）を記憶する配信サーバのＵＲＬ（Ｕ１）のファイルの識別子を、視聴者の携帯電話機７ａに対応するように変更する処理を行なうようにする。また、この変更処理は管理サーバ３が行なうようにしてもよい。【０１８９】  続いて、本システムが備えている他の特徴的な機能について説明する。この特徴は、本システムの日々の管理運営を主として行なうシステム管理者を支援するための機能である。このシステム管理者が日々の管理運営を支援するための第１の特徴的な機能としてチャンネル番号に関する管理情報の出力機能（以下、チャンネル管理機能という）がある。
以下、上記チャンネル管理機能について、システム管理者の操作内容とこの操作に伴うシステムの処理内容について説明する。【０１９０】（チャンネル管理機能）
チャンネル管理機能は、システム管理者がシステム管理者用端末装置５ａからストックサーバ５を介して又は直接に管理サーバ３をアクセスして、チャンネル番号とこのチャンネル番号に係る各種の属性情報取得し、取得したチャンネル番号に対応する投稿動画について、管理者用端末装置５ａから視聴、配信停止等の操作を可能にした機能である。
以下、このチャンネル管理機能について、システム管理者がシステム管理者用端末装置５ａからストックサーバ５を介して管理サーバ３をアクセスして実行する例を、図８、図１４に基づいて説明する。【０１９１】  システム管理者が前記した検閲操作を行なうために、システム管理者用端末装置５ａを操作してストックサーバ５をアクセスすると、前記した図８に示す投稿動画承認用ＷｅｂページＫが表示される。チャンネル管理機能は、チャンネル管理情報出力手段となるこのＷｅｂページＫを利用して実行される。
例えば、システム管理者が投稿動画承認用ＷｅｂページＫの表示領域Ｋｂのリンクスイッチ「チャンネル一覧」Ｋｂ２をクリックすると、システム管理者用端末装置５ａの画面には図１４に示すチャンネル管理表Ｍが表示されるようにする。このチャンネル管理表Ｍには、チャンネル番号ａ６ごとにその属性情報として投稿動画のタイトル名ｂ２、配信開始日ｃ２、視聴要求のアクセス数等と、このチャンネル番号ａ６に対応する投稿動画について視聴、配信停止、再配信を行なうための指示を入力するためのリンクスイッチｍ１〜ｍ３等が設けられている。【０１９２】  なお、投稿動画承認用ＷｅｂページＫのリンクスイッチ「チャンネル一覧」Ｋｂ２には、管理サーバ３をアクセスしてチャンネル管理情報出力プログラムＰ３７を実行して、システム管理者用端末装置５ａにチャンネル管理表ＭをＷｅｂページとして出力するためのＵＲＬを埋め込んでおく。また、管理サーバ３は、システム管理者用端末装置５ａからストックサーバ５を介して投稿配信システムのシステム区分ｃ１に係る情報も取得できるようにする。【０１９３】  そして、システム管理者が投稿動画承認用ＷｅｂページＫのリンクスイッチ「チャンネル一覧」Ｋｂ２をクリックして、ストックサーバ５が管理サーバ３をアクセスすると、チャンネル管理情報出力プログラムＰ３７は、投稿管理ＤＢ（Ｄ３）等を参照して、受信したシステム区分ｃ１に係るチャンネル番号ａ６に係る属性情報をストックサーバ５に送信する。ストックサーバ５はこれらチャンネル番号ａ６に係る属性情報を受信すると、投稿動画承認処理プログラムＰ５３に含まれているチャンネル一覧出力プログラムにより、図１４に示すチャンネル管理表ＭをＷｅｂページとしてシステム管理者用端末装置５ａの画面に表示する処理を行なう。【０１９４】  システム管理者は、システム管理者用端末装置５ａに表示されたチャンネル管理表Ｍを操作して、投稿動画に関して次のような操作を実施することができるようにする。【０１９５】  （１）システム管理者が「視聴」リンクボタンｍ１をクリックすると、このリンクボタンｍ１欄に対応するチャンネル番号ａ６に係る投稿動画であって配信サーバ６ａ又は６ｂに格納されている投稿動画を画面に表示する処理を行なって、システム管理者はこの投稿動画を視聴できるようにする。そして、投稿動画の画面への表示が終了すると、再度投稿動画承認用ＷｅｂページＫを表示する。この視聴により、システム管理者は視聴した動画について、後記する「配信停止」あるいは配信停止した動画を再度配信（再配信）するための操作を行なうことが可能になる。【０１９６】  なお、上記した視聴に対する処理は、ストックサーバ５がこのチャンネル番号ａ６を管理サーバ３に送信し、管理サーバ３は受信したこのチャンネル番号ａ６に対応して配信サーバ６ａ又は６ｂに格納されている投稿動画を格納しているＵＲＬをストックサーバ５又はシステム管理者用端末装置５ａに配信する制御を行なうことにより可能になる。【０１９７】  （２）システム管理者が「配信停止」リンクボタンｍ２をクリックすると、このリンクボタンｍ２欄に対応するチャンネル番号ａ６の投稿動画であって配信サーバ６ａ又は６ｂに格納されている投稿動画を、視聴者に配信することを停止するようにする。
この処理は、ストックサーバ５がこのチャンネル番号ａ６を管理サーバ３に送信し、管理サーバ３は受信したこのチャンネル番号ａ６に対応して投稿動画ＤＢ（Ｄ３）に記憶している投稿・配信状況欄ｃ３の「配信停止」の記憶領域に、配信停止を示す「１」を記憶することにより可能になる。【０１９８】  （３）システム管理者が「再配信」リンクボタンｍ３をクリックすると、このリンクボタンｍ３欄に対応するチャンネル番号ａ６の投稿動画の投稿動画であって配信サーバ６ａ又は６ｂに格納され、しかも現在配信中止になっている投稿動画を、配信可能にする。
この処理は、ストックサーバ５がこのチャンネル番号ａ６を管理サーバ３に送信し、管理サーバ３は受信したこのチャンネル番号ａ６に対応して投稿動画ＤＢ（Ｄ３）に記憶している投稿・配信状況欄ｃ３の「配信区分」の記憶領域に「１」を記憶し、さらに「配信停止」の記憶領域に「０」を記憶することにより可能になる。【０１９９】  上記機能を備えてチャンネル管理機能により、配信サーバ６ａ又は６ｂに格納している投稿動画について、視聴、配信停止あるいは再配信を行なう必要が生じたときに、直ちにシステム管理者が簡単な操作で適切な処置が行なうことができるようになる。なお、上記した例では投稿動画承認用ＷｅｂページＫを利用してチャンネル管理機能を実施する例について説明したが、システム管理者用端末装置５ａがストックサーバ５をアクセスしたときに各種のメニュー画面を表示し、このメニューからチャンネル管理機能が実行できるようにしてもよい。【０２００】（配信日時設定機能）
続いて、システム管理者を支援するための特徴となる第２の機能について説明する。この第２の機能は、配信サーバ６ａ又は６ｂに格納した投稿動画について、視聴者に配信する日時を設定するための支援を行なう機能（配信日時設定機能）である。この配信日時設定機能は、投稿者から投稿された動画ごとに、その配信日時を決めて配信するようにしたシステムには必要となる機能である。以下、システム管理者がストックサーバ５をアクセスしてシステム管理者用端末装置５ａに表示された投稿動画承認用ＷｅｂページＫを利用して投稿された投稿動画の配信日時を設定するための操作とその処理について説明する。なお、この処理は、例えば、ストックサーバ５の投稿動画承認プログラムＰ５２のサブプログラム（コンテンツ配信日時設定手段となる配信日時設定支援プログラム）により実行されるようにする。【０２０１】  システム管理者が投稿動画承認用ＷｅｂページＫの表示領域Ｋｂのリンクスイッチ「配信タイムテーブル」Ｋｂ５をクリックすると、システム管理者用端末装置５ａの画面には図２１に示すタイムテーブルＴが表示されるようにする。このタイムテーブルＴは、システム管理者が投稿動画承認用ＷｅｂページＫを操作して視聴者への配信について承認を与えた投稿動画について、その配信日時を画面と対話方式で設定するためのＷｅｂページである。この配信日時の設定処理は、例えば、次のようにして行なう。【０２０２】  （１）システム管理者が投稿動画承認用ＷｅｂページＫを操作して視聴者への配信について「承認」クリックスイッチＲ１８をクリックした後、配信サーバ６ａ又は６ｂから投稿動画格納終了の情報（ステップＳ３３）を受信すると、システム管理者は投稿動画承認用ＷｅｂページＫのリンクスイッチ「配信タイムテーブル」Ｋｂ５をクリックする。このクリック操作を行なうと、ストックサーバ５は配信日時設定の制御コマンドを管理サーバ３に送信する。管理サーバ３は配信日時設定の制御コマンドを受信すると、配信日時設定プログラムＰ３８を作動させて図２０に示す配信日時テーブルＤＴ２を参照し、配信日時テーブルＤＴ２に記憶されている当月に係るデータ（当月の配信日時設定情報）をストックサーバ４に送信する。【０２０３】  （２）ストックサーバ４は管理サーバ３から当月の配信日時設定情報を受信すると、システム管理者用端末装置５ａに図２１に示すタイムテーブルＴを表示する処理を行なう。
タイムテーブルＴは、当月の日別に配信時間帯を表形式で表示した領域と、上記（１）の操作で配信サーバ６ａ又は６ｂに格納したチャンネル番号に対応する投稿動画の属性情報、例えば、タイトル名を表示した領域と、各種のリンクスイッチから構成されている。なお、この配信時間帯は１日２４時間を所定に時間間隔、例えば、３０分〜数時間の間隔で設定する。【０２０４】  （３）システム管理者はタイムテーブルＴが画面に表示されると、最初に、リンクスイッチ「時間指定」ｔ１、「終日」ｔ２、「週指定」ｔ３の何れかをクリックする。続いて、この投稿動画について配信日時を設定するために、表形式の配信時間帯のいずれかのセル（枠）をマウスで指定してクリックする。すると、クリックしたセルには、表示領域ｔ４に表示されているタイトル名を表示する処理を行なう。この処理においては、指定したセルに表示したタイトル名にはこのタイトル名に対応するチャンネル番号を埋め込む処理を行なう。図２１に示す例では、２月２日の６時〜１２時のセルにタイトル名「ＡＢレストラン」の投稿動画が設定されたこと、すなわち、２月２日の６時〜１２時はタイトル名「ＡＢレストラン」の投稿動画が配信されることを示す。【０２０５】  （４）続いて、システム管理者は、タイムテーブルＴに表示されているリンクスイッチ「更新」ｔ５をクリックすると、ストックサーバ４は、システム管理者がタイムテーブルＴのセルに設定した情報、すなわち、年月日とタイトル名及びこのタイトル名に対応するチャンネル番号に係る情報（配信日時設定情報）を管理サーバ３に送信する。これにより、ストックサーバ４の配信日時設定機能に対する処理は終了し、再び投稿動画承認用ＷｅｂページＫをシステム管理者用端末装置５ａに表示する。【０２０６】  （５）管理サーバ３は、上記（４）に基づいて配信日時設定情報を受信すると、配信日時設定プログラムＰ３８はこの受信した情報を配信日時テーブルＤＴ２の対応するセルに書き込む処理を行なう。【０２０７】  本発明において、上記した配信日時設定機能を備えた動画の投稿配信システムとした場合に、管理サーバは視聴者からの視聴要求に伴うチャンネル番号を受信すると、配信制御プログラムＰ３５はこの視聴要求を受信した日時に基づいて配信日時テーブルＤＴ２を参照して、その配信時間帯に登録されているチャンネル番号を求める処理を行なう。このチャンネル番号を求めると、前記した手順により、視聴者の携帯電話機７ａにこのチャンネル番号に関連付けされて配信サーバ６ａ又は６ｂに格納されている投稿動画を配信する制御を行なう。【０２０８】  なお、上記（２）の処理において、システム管理者用端末装置５ａの画面にタイムテーブルＴが表示されたときに、システム管理者はこの表示内容を確認するのみである場合には、システム管理者はタイムテーブルＴに表示されている「確認終了」のリンクボタンｔ６をクリックすると、投稿動画承認用ＷｅｂページＫを再度表示する処理を行なうようにしてもよい。【０２０９】  また、上記した配信日時設定機能は、システム管理者用端末装置５ａに表示したタイムテーブルＴのＷｅｂページを利用して、投稿動画の配信日時を対話方式で変更の操作ができるようにしてもよい。【０２１０】  以上に説明した本発明の実施形態においては、投稿者が携帯電話機１ａで撮像した動画をメールサーバ４を経由してスットクサーバ５にアップロードする例について説明した。本発明は、さらに、投稿者のパーソナルコンピュータから構成される端末装置１ｃから投稿動画を、メールサーバ４を経由してスットクサーバ５にアップロードすることもできる。この場合は、例えば、端末装置１ｃが管理サーバ３の動画投稿用ＵＲＬをアクセスすると、管理サーバ３はパスワード等により投稿者の認証処理を行なった後、端末装置１ｃに記憶したＡＶＩ形式（又はＷＭＶ形式）の動画をメールに添付してメールサーバ４にアップロードする支援を行なうようにする。【０２１１】  また、上記した本発明の実施形態においては、投稿者が携帯電話機１ａで撮像した投稿動画をメールに添付してアップロードし、配信サーバ６ａ、６ｂに格納する例について説明したが、このメールに記載されているタイトル名、ジャンル、メッセージ内容等のテキスト情報についても投稿動画に関連付けされたチャンネル番号を有する配信サーバ６ａ、６ｂのＵＲＬに格納するようにしてもよい。そして、視聴者から視聴要求に対して、このテキスト情報も視聴者の携帯電話機７ａに配信すると、投稿動画の配信サービスの効果をさらに向上させることができる。
【図面の簡単な説明】
【０２１２】
【図１】  本発明のシステムについて、そのシステム構成の一例を説明するための図である。
【図２】  図１に示す各サーバが備えているプログラムとデータベースの構成例を説明するための図である。
【図３】  図１に示す受付サーバが備えている投稿者データベースについて、そのデータ構成例を説明するための図であれる。
【図４】  図１に示す受付サーバが備えている動画投稿状況蓄積データベースについて、そのデータ構成例を説明するための図である。
【図５】  図１に示す管理サーバが備えている投稿管理データベースについて、そのデータ構成例を説明するための図である。
【図６】  図１に示す管理サーバが備えているサーバ管理データベースについて、そのデータ構成例を説明するための図である。
【図７】  図１に示す管理サーバが備えているサーバ別ＵＲＬデータベースについて、そのデータ構成例を説明するための図である。
【図８】  図１に示すシステム管理者用端末装置に表示される投稿動画承認用Ｗｅｂページの一例を示す図である。
【図９】  投稿者がユーザー登録を行なうときの手順とその処理内容を説明するための図である。
【図１０】  ユーザー登録の申請を行なうときに、投稿者の携帯電話機に表示される画面例を説明するための図である。
【図１１】  同じく、ユーザー登録の申請を行なうときに、投稿者の携帯電話機に表示される画面例を説明するための図である。
【図１２】  同じく、ユーザー登録の申請を行なうときに、投稿者の機体番号の登録完了を通知するためのＷｅｂページの一例を説明するための図である。
【図１３】  本発明のシステムにおいて、投稿者が携帯電話機で撮像した動画をメールサーバに送信し、さらに配信サーバサーバに格納するまでの処理の流れを説明するための図である。
【図１４】  システム管理者用端末装置に表示されるチャンネル管理表の一例を示す図である。
【図１５】  管理サーバが携帯電話機に表示するＷｅｂページであって、携帯電話機で撮像した動画を添付したメールを、メールサーバに送信する操作を支援するための画面例である。
【図１６】  同じく、管理サーバが携帯電話機に表示するＷｅｂページであって、携帯電話機で撮像した動画を添付したメールを、メールサーバに送信する操作を支援するための画面例である。
【図１７】  携帯電話機で投稿動画をメールに添付してメールサーバに送信するときの画面例である。
【図１８】  図１に示すストックサーバが備えている検閲待テーブルのデータ構成例を説明するための図である。
【図１９】  視聴要求した投稿動画について、視聴者の携帯電話機に表示される画面例を説明するための図である。
【図２０】  図１に示す管理サーバが備えている配信日時テーブルのデータ構成例を説明するための図である。
【図２１】  図１に示すシステム管理者用端末装置に表示されるタイムテーブルの一例を示す図である。
【符号の説明】
【０２１３】  １ａ、１ｂ、１ｃ：投稿者の端末装置
２  ：受付サイト
３  ：管理サーバ
４  ：メールサーバ
５  ：ストックサーバ
５ａ：システム管理者用端末装置
６ａ、６ｂ：配信サーバ
７ａ、７ｂ、７ｃ：視聴者の端末装置
８  ：インターネット
Ｄ３：投稿管理データベース
ＤＴ１：検閲待テーブル
ＤＴ２：配信日時テーブル
Ｋ  ：投稿動画承認用Ｗｅｂページ
Ｐ３１：投稿支援プログラム
Ｐ３５：配信制御プログラム
Ｐ３７：チャンネル管理情報出力プログラム
Ｐ３８：配信日時設定プログラム
Ｐ５２：投稿動画承認処理プログラム
Ｔ  ：タイムテーブル
【図１】
2008219842.tif 000003
【図２】
2008219842.tif 000004
【図３】
2008219842.tif 000005
【図４】
2008219842.tif 000006
【図６】
2008219842.tif 000007
【図５】
2008219842.tif 000008
【図７】
2008219842.tif 000009
【図８】
2008219842.tif 000010
【図９】
2008219842.tif 000011
【図１０】
2008219842.tif 000012
【図１１】
2008219842.tif 000013
【図１２】
2008219842.tif 000014
【図１５】
2008219842.tif 000015
【図１３】
2008219842.tif 000016
【図１４】
2008219842.tif 000017
【図１６】
2008219842.tif 000018
【図１７】
2008219842.tif 000019
【図１８】
2008219842.tif 000020
【図１９】
2008219842.tif 000021
【図２０】
2008219842.tif 000022
【図２１】
2008219842.tif 000023